(57)【要約】  本願の実施例は、不連続受信ＤＲＸ状態を確定するための方法、端末機器及びネットワーク機器を提供する。当該方法は、端末機器が、ネットワーク機器から送信される、端末機器にＤＲＸ状態を切り替えるように指示するか又は端末機器がＤＲＸ状態にある時間を指示するための第１の指示情報を受信するステップと、端末機器が第１の指示情報に基づいて端末機器の現在のＤＲＸ状態を切り替えるか、又は、第１の指示情報に基づいて端末機器のＤＲＸ状態の時間を確定し、端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするステップと、を含む。本願の実施例は、第１の指示情報に基づいて端末機器のＤＲＸ状態を柔軟に調整することができる。
2020509627.tif 000002
【特許請求の範囲】
【請求項１】
不連続受信ＤＲＸ状態を確定するための方法であって、
端末機器が、ネットワーク機器から送信される、前記端末機器にＤＲＸ状態を切り替えるように指示するか又は前記端末機器がＤＲＸ状態にある時間を指示するための第１の指示情報を受信するステップと、
前記端末機器が、前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするステップと、
を含むことを特徴とする不連続受信ＤＲＸ状態を確定するための方法。
【請求項２】
前記端末機器の現在のＤＲＸ状態が第１のＤＲＸ状態であり、前記第１の指示情報が前記端末機器に第２のＤＲＸ状態に切り替えるように指示し、前記端末機器が、前記第１の指示情報に基づいてＤＲＸ状態を切り替えることは、
前記端末機器が、前記第１の指示情報に基づいて第１のＤＲＸ状態から第２のＤＲＸ状態に切り替えられることを含む、ことを特徴とする請求項１に記載の方法。
【請求項３】
前記端末機器の現在のＤＲＸ状態が前記第１のＤＲＸ状態にあり、前記第１の指示情報は前記端末機器が前記第１のＤＲＸ状態にある時間を指示するために用いられ、前記端末機器は前記第１の指示情報に基づいて前記端末機器のＤＲＸ状態の時間を確定することは、
前記端末機器が、前記第１の指示情報に基づいて前記端末機器が前記第１のＤＲＸ状態にある時間を確定することを含む、ことを特徴とする請求項１に記載の方法。
【請求項４】
前記第１の指示情報は、具体的には、前記第１のＤＲＸ状態の持続時間が第１の時間帯であると指示するために用いられ、前記端末機器は前記第１の指示情報に基づいて前記第１のＤＲＸ状態の持続時間を確定することは、
前記端末機器が、前記第１の指示情報に基づいて前記第１のＤＲＸ状態の持続時間が第１の時間帯であることを確定することを含む、ことを特徴とする請求項３に記載の方法。
【請求項５】
前記第１の指示情報は前記第１のＤＲＸ状態が第１の時刻まで持続するように指示するために用いられ、前記端末機器は前記第１の指示情報に基づいて前記第１のＤＲＸ状態の持続時間を確定することは、
前記端末機器が、前記第１の指示情報に基づいて前記第１のＤＲＸ状態を前記第１の時刻まで持続することを確定することを含む、ことを特徴とする請求項３に記載の方法。
【請求項６】
前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記端末機器は前記第１の指示情報に基づいて前記端末機器のＤＲＸ状態の時間を確定することは、
前記端末機器が、前記第１の指示情報に基づいて前記端末機器が前記第２のＤＲＸ状態にある時間を確定することを含む、ことを特徴とする請求項１に記載の方法。
【請求項７】
前記第１の指示情報は、具体的には、前記第２のＤＲＸ状態の持続時間が第２の時間帯であると指示するために用いられ、前記端末機器は前記第１の指示情報に基づいて前記第２のＤＲＸ状態の持続時間を確定することは、
前記端末機器が、前記第１の指示情報に基づいて前記第２のＤＲＸ状態の持続時間が前記第２の時間帯であることを確定することを含む、ことを特徴とする請求項６に記載の方法。
【請求項８】
前記第１の指示情報は、具体的には、前記第２のＤＲＸ状態を第２の時刻まで持続するように指示するために用いられ、前記端末機器は前記第１の指示情報に基づいて前記第２のＤＲＸ状態の持続時間を確定することは、
前記端末機器が、前記第１の指示情報に基づいて前記第２のＤＲＸ状態を前記第２の時刻まで持続することを確定することを含む、ことを特徴とする請求項６に記載の方法。
【請求項９】
前記第１の指示情報は下り制御情報ＤＣＩで載せられることを特徴とする請求項１〜８のいずれか１項に記載の方法。
【請求項１０】
前記第１の指示情報はメディアアクセス制御ユニットＭＡＣ  ＣＥで載せられることを特徴とする請求項１〜８のいずれか１項に記載の方法。
【請求項１１】
前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む、ことを特徴とする請求項１０に記載の方法。
【請求項１２】
前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項１１に記載の方法。
【請求項１３】
前記端末機器がネットワーク機器から送信される第１の指示情報を受信することは、
前記端末機器が専用下り制御チャネル又は共通制御チャネルを介して前記ネットワーク機器から送信される前記第１の指示情報を受信することを含む、ことを特徴とする請求項１〜１２のいずれか１項に記載の方法。
【請求項１４】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項１〜１３のいずれか１項に記載の方法。
【請求項１５】
前記第１の指示情報は、具体的には、予め設定した複数のＤＲＸパラメータにおける前記標的ＤＲＸパラメータのインデックスを指示するために用いられる、ことを特徴とする請求項１４に記載の方法。
【請求項１６】
前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項１４に記載の方法。
【請求項１７】
不連続受信ＤＲＸ状態を確定するための方法であって、
ネットワーク機器が、端末機器にＤＲＸ状態を切り替えるように指示するか又は前記端末機器がＤＲＸ状態にある時間を指示するための第１の指示情報を生成するステップと、
前記ネットワーク機器が前記端末機器に前記第１の指示情報を送信するステップと、
を含むことを特徴とする不連続受信ＤＲＸ状態を確定するための方法。
【請求項１８】
前記ネットワーク機器がネットワークの負荷に基づいて前記第１の指示情報を確定することをさらに含む、ことを特徴とする請求項１７に記載の方法。
【請求項１９】
前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする、ことを特徴とする請求項１７又は１８に記載の方法。
【請求項２０】
前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする、ことを特徴とする請求項１７又は１８に記載の方法。
【請求項２１】
前記第１の指示情報は、具体的には、前記第１のＤＲＸ状態の持続時間が第１の時間帯であると指示するために用いられる、ことを特徴とする請求項２０に記載の方法。
【請求項２２】
前記第１の指示情報は、前記第１のＤＲＸ状態を第１の時刻まで持続するように指示するために用いられる、ことを特徴とする請求項２０に記載の方法。
【請求項２３】
前記端末機器の現在のＤＲＸ状態が第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする、ことを特徴とする請求項１７又は１８に記載の方法。
【請求項２４】
前記第１の指示情報は、具体的には、前記第２のＤＲＸ状態の持続時間が第２の時間帯であると指示するために用いられる、ことを特徴とする請求項２３に記載の方法。
【請求項２５】
前記第１の指示情報は、具体的には、前記第２のＤＲＸ状態を第２の時刻まで持続するように指示するために用いられる、ことを特徴とする請求項２３に記載の方法。
【請求項２６】
前記第１の指示情報は下り制御情報ＤＣＩで載せられる、ことを特徴とする請求項１７〜２５のいずれか１項に記載の方法。
【請求項２７】
前記第１の指示情報はメディアアクセス制御ユニットＭＡＣ  ＣＥで載せられる、ことを特徴とする請求項１７〜２５のいずれか１項に記載の方法。
【請求項２８】
前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる、ことを特徴とする請求項２７に記載の方法。
【請求項２９】
前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項２８に記載の方法。
【請求項３０】
前記ネットワーク機器が前記端末機器に前記第１の指示情報を送信するステップは、
前記ネットワーク機器が専用下り制御チャネル又は共通制御チャネルを介して前記端末機器に前記第１の指示情報を送信することを含む、ことを特徴とする請求項１７〜２９のいずれか１項に記載の方法。
【請求項３１】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項１７〜３０のいずれか１項に記載の方法。
【請求項３２】
前記第１の指示情報は、具体的には、予め設定した複数のＤＲＸパラメータにおける前記標的ＤＲＸパラメータのインデックスを指示するために用いられる、ことを特徴とする請求項３１に記載の方法。
【請求項３３】
前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項３１に記載の方法。
【請求項３４】
端末機器であって、
ネットワーク機器から送信される、前記端末機器にＤＲＸ状態を切り替えるように指示するか又は前記端末機器がＤＲＸ状態にある時間を指示するための第１の指示情報を受信するために用いられる通信モジュールと、
前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられる処理モジュールと、
を含むことを特徴とする端末機器。
【請求項３５】
前記端末機器の現在のＤＲＸ状態が第１のＤＲＸ状態であり、前記第１の指示情報が前記端末機器に第２のＤＲＸ状態に切り替えるように指示し、前記処理モジュールは、具体的には、
前記第１の指示情報に基づいて第１のＤＲＸ状態から第２のＤＲＸ状態に切り替えるために用いられる、ことを特徴とする請求項３４に記載の端末機器。
【請求項３６】
前記端末機器の現在のＤＲＸ状態が前記第１のＤＲＸ状態にあり、前記第１の指示情報は前記端末機器が前記第１のＤＲＸ状態にある時間を指示するために用いられ、前記処理モジュールは、具体的には、
前記第１の指示情報に基づいて前記端末機器が前記第１のＤＲＸ状態にある時間を確定するために用いられる、ことを特徴とする請求項３４に記載の端末機器。
【請求項３７】
前記第１の指示情報は、具体的には、前記第１のＤＲＸ状態の持続時間が第１の時間帯であると指示するために用いられ、前記処理モジュールは、具体的には、
前記第１の指示情報に基づいて前記第１のＤＲＸ状態の持続時間が第１の時間帯であることを確定するために用いられる、ことを特徴とする請求項３６に記載の端末機器。
【請求項３８】
前記第１の指示情報は前記第１のＤＲＸ状態が第１の時刻まで持続するように指示するために用いられ、前記処理モジュールは、具体的には、
前記第１の指示情報に基づいて前記第１のＤＲＸ状態を前記第１の時刻まで持続することを確定するために用いられる、ことを特徴とする請求項３６に記載の端末機器。
【請求項３９】
前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記処理モジュールは、具体的には、
前記第１の指示情報に基づいて前記端末機器が前記第２のＤＲＸ状態にある時間を確定するために用いられる、ことを特徴とする請求項３４に記載の端末機器。
【請求項４０】
前記第１の指示情報は、具体的には、前記第２のＤＲＸ状態の持続時間が第２の時間帯であると指示するために用いられ、前記処理モジュールは、具体的には、
前記第１の指示情報に基づいて前記第２のＤＲＸ状態の持続時間が前記第２の時間帯であることを確定するために用いられる、ことを特徴とする請求項３９に記載の端末機器。
【請求項４１】
前記第１の指示情報は、具体的には、前記第２のＤＲＸ状態を第２の時刻まで持続するように指示するために用いられ、前記処理モジュールは、具体的には、
前記第１の指示情報に基づいて前記第２のＤＲＸ状態を前記第２の時刻まで持続することを確定するために用いられる、ことを特徴とする請求項３９に記載の端末機器。
【請求項４２】
前記第１の指示情報は下り制御情報ＤＣＩで載せられる、ことを特徴とする請求項３４〜４１のいずれか１項に記載の端末機器。
【請求項４３】
前記第１の指示情報はメディアアクセス制御ユニットＭＡＣ  ＣＥで載せられる、ことを特徴とする請求項３４〜４１のいずれか１項に記載の端末機器。
【請求項４４】
前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む、ことを特徴とする請求項４３に記載の端末機器。
【請求項４５】
前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項４４に記載の端末機器。
【請求項４６】
前記通信モジュールは、具体的には、専用下り制御チャネル又は共通制御チャネルを介して前記ネットワーク機器から送信される前記第１の指示情報を受信するために用いられる、ことを特徴とする請求項３４〜４５のいずれか１項に記載の端末機器。
【請求項４７】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項３４〜４６のいずれか１項に記載の端末機器。
【請求項４８】
前記第１の指示情報は、具体的には、予め設定した複数のＤＲＸパラメータにおける前記標的ＤＲＸパラメータのインデックスを指示するために用いられる、ことを特徴とする請求項４７に記載の端末機器。
【請求項４９】
前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項４７に記載の端末機器。
【請求項５０】
ネットワーク機器であって、
端末機器にＤＲＸ状態を切り替えるように指示するか又は前記端末機器がＤＲＸ状態にある時間を指示するための第１の指示情報を生成するために用いられる処理モジュールと、
前記端末機器に前記第１の指示情報を送信するために用いられる通信モジュールと、
を含むことを特徴とするネットワーク機器。
【請求項５１】
前記処理モジュールは、さらに、ネットワークの負荷に基づいて前記第１の指示情報を確定するために用いられる、ことを特徴とする請求項５０に記載のネットワーク機器。
【請求項５２】
前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする、ことを特徴とする請求項５０又は５１に記載のネットワーク機器。
【請求項５３】
前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする、ことを特徴とする請求項５０又は５１に記載のネットワーク機器。
【請求項５４】
前記第１の指示情報は、具体的には、前記第１のＤＲＸ状態の持続時間が第１の時間帯であると指示するために用いられる、ことを特徴とする請求項５３に記載のネットワーク機器。
【請求項５５】
前記第１の指示情報は、前記第１のＤＲＸ状態を第１の時刻まで持続するように指示するために用いられる、ことを特徴とする請求項５３に記載のネットワーク機器。
【請求項５６】
前記端末機器の現在のＤＲＸ状態が第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする、ことを特徴とする請求項５０又は５１に記載のネットワーク機器。
【請求項５７】
前記第１の指示情報は、具体的には、前記第２のＤＲＸ状態の持続時間が第２の時間帯であると指示するために用いられる、ことを特徴とする請求項５６に記載のネットワーク機器。
【請求項５８】
前記第１の指示情報は、具体的には、前記第２のＤＲＸ状態を第２の時刻まで持続するように指示するために用いられる、ことを特徴とする請求項５６に記載のネットワーク機器。
【請求項５９】
前記第１の指示情報は下り制御情報ＤＣＩで載せられる、ことを特徴とする請求項５０〜５８のいずれか１項に記載のネットワーク機器。
【請求項６０】
前記第１の指示情報はメディアアクセス制御ユニットＭＡＣ  ＣＥで載せられる、ことを特徴とする請求項５０〜５８のいずれか１項に記載のネットワーク機器。
【請求項６１】
前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる、ことを特徴とする請求項６０に記載のネットワーク機器。
【請求項６２】
前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項６１に記載のネットワーク機器。
【請求項６３】
前記通信モジュールは、具体的には、
専用下り制御チャネル又は共通制御チャネルを介して前記端末機器に前記第１の指示情報を送信するために用いられる、ことを特徴とする請求項５０〜６２のいずれか１項に記載のネットワーク機器。
【請求項６４】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項５０〜６３のいずれか１項に記載のネットワーク機器。
【請求項６５】
前記第１の指示情報は、具体的には、予め設定した複数のＤＲＸパラメータにおける前記標的ＤＲＸパラメータのインデックスを指示するために用いられる、ことを特徴とする請求項６４に記載のネットワーク機器。
【請求項６６】
前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項６４に記載のネットワーク機器。
【発明の詳細な説明】
【技術分野】
【０００１】
本願の実施例は、通信分野に関し、特に不連続受信状態の確定方法、端末機器及びネットワーク機器に関する。
【背景技術】
【０００２】
消費電力を低減するために、端末機器は、不連続受信（Ｄｉｓｃｏｎｔｉｎｕｏｕｓ  Ｒｅｃｅｐｔｉｏｎ、ＤＲＸ）モードを用いてネットワーク機器から送信されるデータを受信することができる。既存の解決手段では、ＤＲＸ機能を実現するために、ネットワーク機器は、（Ｒａｄｉｏ  Ｒｅｓｏｕｒｃｅ  Ｃｏｎｔｒｏｌ、ＲＲＣ）シグナリングを通じて端末機器にＤＲＸパラメータを静的に設定し、例えば、ＲＲＣシグナリングで端末機器に持続時間タイマ（Ｏｎ  Ｄｕｒａｔｉｏｎ  Ｔｉｍｅｒ）、ＤＲＸ非有効化タイマ（ＤＲＸ  Ｉｎａｃｔｉｖｉｔｙ  Ｔｉｍｅｒ）などのパラメータを設定する。しかし、端末機器のＤＲＸ状態を変更する必要がある場合、このような方法は柔軟性に欠ける。
【発明の概要】
【発明が解決しようとする課題】
【０００３】
本願の実施例は、端末機器のＤＲＸ状態を動的に調整するために、不連続受信ＤＲＸ状態を確定するための方法、端末機器及びネットワーク機器を提供する。
【０００４】
第１の態様では、不連続受信ＤＲＸ状態を確定するための方法を提供し、当該方法は、端末機器が、ネットワーク機器から送信される、前記端末機器にＤＲＸ状態を切り替えるように指示するか又は前記端末機器がＤＲＸ状態にある時間を指示するための第１の指示情報を受信するステップと、前記端末機器が、前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするステップと、を含む。
【０００５】
端末機器のＤＲＸ状態又は端末機器のＤＲＸ状態の時間を第１の指示情報で動的に調整でき、さらにＤＲＸモードでデータを送信する端末機器の効率を向上させ、端末機器の消費電力を低減する。
【０００６】
第１の態様を参照して、第１の態様の一部の実現形態において、前記端末機器の現在のＤＲＸ状態が第１のＤＲＸ状態であり、前記第１の指示情報が前記端末機器に第２のＤＲＸ状態に切り替えるように指示し、前記端末機器が、前記第１の指示情報に基づいてＤＲＸ状態を切り替えることは、前記端末機器が、前記第１の指示情報に基づいて第１のＤＲＸ状態から第２のＤＲＸ状態に切り替えられることを含む。
【０００７】
端末機器が現在第１のＤＲＸ状態にあるとき、端末機器は第１の指示情報の指示に基づいて第１のＤＲＸ状態から第２のＤＲＸ状態への切り替えを実現し、従来技術における第１のＤＲＸ状態のタイマが無効になってからしかＤＲＸ状態の切り替えを実現できないことに比べて、第１のＤＲＸ状態から第２のＤＲＸ状態への切り替えをより柔軟且つ便利に実現できる。
【０００８】
第１の態様を参照して、第１の態様の一部の実現形態において、前記端末機器の現在のＤＲＸ状態が前記第１のＤＲＸ状態にあり、前記第１の指示情報は前記端末機器が前記第１のＤＲＸ状態にある時間を指示するために用いられ、前記端末機器は前記第１の指示情報に基づいて前記端末機器のＤＲＸ状態の時間を確定することは、前記端末機器が、前記第１の指示情報に基づいて前記端末機器が前記第１のＤＲＸ状態にある時間を確定することを含む。
【０００９】
従来技術における第１のＤＲＸ状態に静的設定方法で固定時間を設定する方法に比べて、本願の実施例は、端末機器が第１のＤＲＸ状態にある時間を第１の指示情報で柔軟に調整できる。
【００１０】
第１の態様を参照して、第１の態様の一部の実現形態において、前記第１の指示情報は、具体的には、前記第１のＤＲＸ状態の持続時間が第１の時間帯であると指示するために用いられ、前記端末機器は前記第１の指示情報に基づいて前記第１のＤＲＸ状態の持続時間を確定することは、前記端末機器が、前記第１の指示情報に基づいて前記第１のＤＲＸ状態の持続時間が第１の時間帯であることを確定することを含む。
【００１１】
第１の態様を参照して、第１の態様の一部の実現形態において、前記第１の指示情報は前記第１のＤＲＸ状態が第１の時刻まで持続するように指示するために用いられ、前記端末機器は前記第１の指示情報に基づいて前記第１のＤＲＸ状態の持続時間を確定することは、前記端末機器が、前記第１の指示情報に基づいて前記第１のＤＲＸ状態を前記第１の時刻まで持続することを確定することを含む。
【００１２】
第１の指示情報が、端末機器が第１のＤＲＸ状態にある時間を指示するとき、端末機器が第１のＤＲＸ状態にある時間帯を指示してもよく、第１のＤＲＸ状態の終了時刻などを指示してもよく、指示方法は柔軟である。
【００１３】
第１の態様を参照して、第１の態様の一部の実現形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記端末機器は前記第１の指示情報に基づいて前記端末機器のＤＲＸ状態の時間を確定することは、前記端末機器が、前記第１の指示情報に基づいて前記端末機器が前記第２のＤＲＸ状態にある時間を確定することを含む。
【００１４】
第１の指示情報で端末機器が現在のＤＲＸ状態にある時間を指示できるだけでなく、端末機器が次に入るＤＲＸ状態の時間を指示することもできる。
【００１５】
第１の態様を参照して、第１の態様の一部の実現形態において、前記第１の指示情報は、具体的には、前記第２のＤＲＸ状態の持続時間が第２の時間帯であると指示するために用いられ、前記端末機器は前記第１の指示情報に基づいて前記第２のＤＲＸ状態の持続時間を確定することは、前記端末機器が、前記第１の指示情報に基づいて前記第２のＤＲＸ状態の持続時間が前記第２の時間帯であることを確定することを含む。
【００１６】
第１の態様を参照して、第１の態様の一部の実現形態において、前記第１の指示情報は、具体的には、前記第２のＤＲＸ状態を第２の時刻まで持続するように指示するために用いられ、前記端末機器は前記第１の指示情報に基づいて前記第２のＤＲＸ状態の持続時間を確定することは、前記端末機器が、前記第１の指示情報に基づいて前記第２のＤＲＸ状態を前記第２の時刻まで持続することを確定することを含む。
【００１７】
第１の態様を参照して、第１の態様の一部の実現形態において、前記第１の指示情報は下り制御情報ＤＣＩで載せられる。
【００１８】
第１の態様を参照して、第１の態様の一部の実現形態において、前記第１の指示情報はメディアアクセス制御ユニットＭＡＣ  ＣＥで載せられる。
【００１９】
第１の態様を参照して、第１の態様の一部の実現形態において、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【００２０】
第１の態様を参照して、第１の態様の一部の実現形態において、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【００２１】
第１の態様を参照して、第１の態様の一部の実現形態において、前記端末機器がネットワーク機器から送信される第１の指示情報を受信することは、前記端末機器が専用下り制御チャネル又は共通制御チャネルを介して前記ネットワーク機器から送信される前記第１の指示情報を受信することを含む。
【００２２】
第１の態様を参照して、第１の態様の一部の実現形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【００２３】
本願の実施例において、第１の指示情報は、予め端末機器に設定した複数のＤＲＸパラメータにおける標的ＤＲＸパラメータを指示する方法により、端末機器のＤＲＸ状態の時間を指示することを実現することができる。
【００２４】
第１の態様を参照して、第１の態様の一部の実現形態において、前記第１の指示情報は、具体的には、予め設定した複数のＤＲＸパラメータにおける前記標的ＤＲＸパラメータのインデックスを指示するために用いられる。
【００２５】
端末機器は、第１の指示情報が指示した標的ＤＲＸパラメータのインデックスに基づいて、予め設定した複数のＤＲＸパラメータから標的ＤＲＸパラメータを容易に確定することができる。
【００２６】
第１の態様を参照して、第１の態様の一部の実現形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【００２７】
上記第１のＤＲＸパラメータは、ネットワーク機器がＲＲＣシグナリングを通じて予め端末機器に設定したＤＲＸパラメータであってよい。
【００２８】
端末機器のＤＲＸ状態の時間を調整する必要があるとき、第１の指示情報で標的ＤＲＸパラメータのインデックスと第１のＤＲＸパラメータのインデックスとの間の差分値を指示することにより、標的ＤＲＸパラメータを指示することができる。第１の指示情報で標的ＤＲＸパラメータのインデックスと第１のＤＲＸパラメータのインデックスとの間の差分値を指示する方法と標的ＤＲＸパラメータのインデックスを直接指示する方法とを比べると、標的ＤＲＸパラメータのインデックスが第１のＤＲＸパラメータのインデックスに比較的類似する場合、より少ないビット数で標的ＤＲＸパラメータに対する指示を実現できる。
【００２９】
第２の態様では、不連続受信ＤＲＸ状態を確定するための方法を提供し、該方法は、ネットワーク機器が、端末機器にＤＲＸ状態を切り替えるように指示するか又は前記端末機器がＤＲＸ状態にある時間を指示するための第１の指示情報を生成するステップと、前記ネットワーク機器が前記端末機器に前記第１の指示情報を送信するステップと、を含む。
【００３０】
第１の指示情報で端末機器のＤＲＸ状態又は端末機器のＤＲＸ状態の時間を動的に調整でき、さらにＤＲＸモードでデータを送信する端末機器の効率を向上させ、端末機器の消費電力を低減する。
【００３１】
第２の態様を参照して、第２の態様の一部の実現形態において、前記方法は、さらに、前記ネットワーク機器がネットワークの負荷に基づいて前記第１の指示情報を確定することを含む。
【００３２】
第２の態様を参照して、第２の態様の一部の実現形態において、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【００３３】
第２の態様を参照して、第２の態様の一部の実現形態において、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【００３４】
第２の態様を参照して、第２の態様の一部の実現形態において、前記第１の指示情報は、具体的には、前記第１のＤＲＸ状態の持続時間が第１の時間帯であると指示するために用いられる。
【００３５】
第２の態様を参照して、第２の態様の一部の実現形態において、前記第１の指示情報は、前記第１のＤＲＸ状態を第１の時刻まで持続するように指示するために用いられる。
【００３６】
第２の態様を参照して、第２の態様の一部の実現形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【００３７】
第２の態様を参照して、第２の態様の一部の実現形態において、前記第１の指示情報は、具体的には、前記第２のＤＲＸ状態の持続時間が第２の時間帯であると指示するために用いられる。
【００３８】
第２の態様を参照して、第２の態様の一部の実現形態において、前記第１の指示情報は、具体的には、前記第２のＤＲＸ状態を第２の時刻まで持続するように指示するために用いられる。
【００３９】
第２の態様を参照して、第２の態様の一部の実現形態において、前記第１の指示情報は下り制御情報ＤＣＩで載せられる。
【００４０】
第２の態様を参照して、第２の態様の一部の実現形態において、前記第１の指示情報はメディアアクセス制御ユニットＭＡＣ  ＣＥで載せられる。
【００４１】
第２の態様を参照して、第２の態様の一部の実現形態において、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【００４２】
第２の態様を参照して、第２の態様の一部の実現形態において、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【００４３】
第２の態様を参照して、第２の態様の一部の実現形態において、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【００４４】
第２の態様を参照して、第２の態様の一部の実現形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【００４５】
第２の態様を参照して、第２の態様の一部の実現形態において、前記第１の指示情報は、具体的には、予め設定した複数のＤＲＸパラメータにおける前記標的ＤＲＸパラメータのインデックスを指示するために用いられる。
【００４６】
第２の態様を参照して、第２の態様の一部の実現形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【００４７】
第３の態様では、端末機器を提供し、前記端末機器は、前記第１の態様又はその様々な実現形態における方法を実行するために用いられるモジュールを含む。
【００４８】
第４の態様では、ネットワーク機器を提供し、前記ネットワーク機器は、前記第２の態様又はその様々な実現形態における方法を実行するために用いられるモジュールを含む。
【００４９】
第５の態様では、端末機器を提供し、前記端末機器は、送受信機と、前記送受信機に基づいて第１の態様又はその様々な実現形態における方法を実行するプロセッサと、を含む。
【００５０】
第６態様では、ネットワーク機器を提供し、前記ネットワーク機器は、送受信機と、前記送受信機に基づいて第２の態様又はその様々な実現形態における方法を実行するプロセッサと、を含む。
【００５１】
第７態様では、コンピュータ可読媒体を提供し、前記コンピュータ可読媒体は、機器によって実行されるためのプログラムコードを格納し、前記プログラムコードは、第１の態様での方法を実行するための命令を含む。
【００５２】
第８態様では、コンピュータ可読媒体を提供し、前記コンピュータ可読媒体は、機器によって実行されるためのプログラムコードを格納し、前記プログラムコードは、第２の態様での方法を実行するための命令を含む。
【００５３】
第９態様では、システムチップを提供し、前記システムチップは、入力インタフェースと、出力インタフェースと、プロセッサと、メモリとを含み、当該プロセッサは当該メモリ内のコードを実行するために用いられ、当該コードが実行されるとき、当該プロセッサは前述の第１の態様における端末機器に実行される各プロセスを実現できる。
【００５４】
第１０態様では、システムチップを提供し、前記システムチップは、入力インタフェースと、出力インタフェースと、プロセッサと、メモリとを含み、当該プロセッサは当該メモリ内のコードを実行するために用いられ、当該コードが実行されるとき、当該プロセッサは前述の第２の態様における端末機器に実行される各プロセスを実現できる。
【図面の簡単な説明】
【００５５】
【図１】本願の実施例で可能な適用シナリオを示す模式図である。
【図２】ＤＲＸサイクルを示す模式図である。
【図３】本願の実施例におけるＤＲＸ状態を確定するための方法を示す概略的なフローチャートである。
【図４】本願の実施例におけるＤＲＸ状態を確定するための方法を示す概略的なフローチャートである。
【図５】本願の実施例における端末機器の概略構造図である。
【図６】本願の実施例におけるネットワーク機器の概略構造図である。
【図７】本願の実施例における端末機器の概略構造図である。
【図８】本願の実施例におけるネットワーク機器の概略構造図である。
【図９】本願の実施例におけるシステムチップの概略構造図である。
【発明を実施するための形態】
【００５６】
以下、本願の実施例における添付図面を参照しながら、本願の実施例における技術的解決手段について説明する。
【００５７】
本願の実施例における技術的解決手段は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム又は将来の５Ｇシステムなど、様々な通信システムに適用されることができる。
【００５８】
図１は、本願の実施例で適用した無線通信システム１００を示す。当該無線通信システム１００はネットワーク機器１１０を含んでよい。ネットワーク機器１００は端末機器と通信する機器であってよい。ネットワーク機器１００は特定の地理的エリアに通信サービスを提供することができ、且つ、当該サービスエリア内に位置する端末機器（例えば、ＵＥ）と通信することができる。選択的に、当該ネットワーク機器１００はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、又はＷＣＤＭＡシステムにおける基地局（ＮｏｄｅＢ、ＮＢ）であってもよく、さらにＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は当該ネットワーク機器は、中継局、アクセスポイント、車載機器、ウェアラブル機器、将来の５Ｇネットワークにおけるネットワーク側機器もしくは将来の進化型地上波公共移動通信ネットワーク（Ｐｕｂｌｉｃ  ｌａｎｄ  ｍｏｂｉｌｅ  ｎｅｔｗｏｒｋ、略称ＰＬＭＮ）におけるネットワーク機器などであってもよい。
【００５９】
当該無線通信システム１００は、さらに、ネットワーク機器１１０のサービス範囲内に位置する少なくとも１つの端末機器１２０を含む。端末機器１２０は、移動型でも固定型でもよい。選択的に、端末機器１２０は、アクセス端末、ユーザ機器（Ｕｓｅｒ  Ｅｑｕｉｐｍｅｎｔ、略称ＵＥ）、ユーザユニット、ユーザ局、移動局、モバイルステーション、遠隔局、遠隔端末、移動機器、ユーザ端末、端末、無線通信機器、ユーザ代理機器又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスト（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他の処理機器、車載機器、ウェアラブル機器、将来の５Ｇネットワークにおける端末機器又は将来の進化型ＰＬＭＮにおける端末機器などであってよい。
【００６０】
選択的に、５Ｇシステム又はネットワークは、新しい無線（Ｎｅｗ  Ｒａｄｉｏ、ＮＲ）システム又はネットワークとも呼ばれる。
【００６１】
本願の実施例に係るＤＲＸ状態を確定するための方法をよりよく理解するために、以下、図２を参照しながら、ＤＲＸについて簡単に説明する。図２に示すように、１つの完全なＤＲＸサイクルはＤＲＸの有効化期間とＤＲＸのスリープ期間からなり、一定のトリガ条件を満たすとき、端末機器はＤＲＸの有効化期間に入り、ＤＲＸの有効化期間に端末機器がデータスケジューリング要求を発信すると、ＤＲＸ非有効化タイマ（ＤＲＸ−Ｉｎａｃｔｉｖｉｔｙ  Ｔｉｍｅｒ）が起動され、端末機器がＤＲＸ非有効化タイマのタイミング時間内にスケジューリング情報を受信しなかった場合、ＤＲＸ非有効化タイマのタイミング時間になると端末機器はＤＲＸのスリープ期間に入り、端末機器がＤＲＸ非有効化タイマのタイミング時間内にスケジューリング情報を検出した場合、端末機器はＤＲＸ非有効化タイマを再起動して物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し続けることができる。
【００６２】
なお、ＤＲＸの有効化期間では、端末機器が第１のＤＲＸ状態であり、ＤＲＸのスリープ期間では、端末機器が第２のＤＲＸ状態にあることを理解すべきである。端末機器が第１のＤＲＸ状態であっても第２のＤＲＸ状態であっても、端末機器とネットワーク機器は両方ともＲＲＣ接続状態にある。端末機器がＤＲＸの第１のＤＲＸ状態にある（この際端末機器がＤＲＸの有効化期間にある）とき、端末機器は受信機をオンにして、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し、端末機器が第２のＤＲＸ状態にある（この際端末機器がＤＲＸのスリープ期間にある）とき、端末機器は受信機をオフにし、ＰＤＣＣＨを監視しない。
【００６３】
既存のロングタームエボリューション（Ｌｏｎｇ  Ｔｅｒｍ  Ｅｖｏｌｕｔｉｏｎ、ＬＴＥ）ＬＴＥシステムにおいて、ネットワーク機器はＲＲＣシグナリングを通じて端末機器にＤＲＸパラメータを静的に設定し、これらのＤＲＸパラメータはオンデュレーションタイマ（ｏｎ  Ｄｕｒａｔｉｏｎ  Ｔｉｍｅｒ）、ＤＲＸ非有効化タイマ（ＤＲＸ−Ｉｎａｃｔｉｖｉｔｙ  Ｔｉｍｅｒ）、ＤＲＸ再送信タイマ（ＤＲＸ−Ｒｅｔｒａｎｓｍｉｓｓｉｏｎ  Ｔｉｍｅｒ）、ロングＤＲＸサイクル開始オフセット（ｌｏｎｇ  ＤＲＸ−Ｃｙｃｌｅ  Ｓｔａｒｔ  Ｏｆｆｓｅｔ）、ショートＤＲＸサイクル（ｓｈｏｒｔ  ＤＲＸ−Ｃｙｃｌｅ）、ＤＲＸショートサイクルタイマ（ＤＲＸ−Ｓｈｏｒｔ  Ｃｙｃｌｅ  Ｔｉｍｅｒ）、及びハイブリッド自動再送要求往復時間タイマ（Ｈｙｂｒｉｄ  Ａｕｔｏ  Ｒｅｐｅａｔ  Ｒｅｑｕｅｓｔ  Ｒｏｕｎｄ  Ｔｒｉｐ  Ｔｉｍｅ  Ｔｉｍｅｒ、ＨＡＲＱ  ＲＴＴ  Ｔｉｍｅｒ）等を含む。
【００６４】
既存のＤＲＸパラメータの静的設定方法は非常に柔軟性に欠けており、端末機器に設定したＤＲＸパラメータを動的に調整することができず、さらに端末機器のＤＲＸ状態を柔軟に変更することができない。
【００６５】
例えば、端末機器がネットワーク機器にデータスケジューリング要求を発信した後、ＤＲＸ非有効化タイマが起動し、端末機器がＰＤＣＣＨの監視を開始し、ネットワーク機器が端末機器のデータスケジューリング要求を受信した後、ネットワークの負荷が高いため、ネットワーク機器は、ＤＲＸ非有効化タイマのタイミング時間内に端末機器のスケジューリングを行うことができず、ＤＲＸ非有効化タイマが起動した後、端末機器は、ＤＲＸ非有効化タイマが無効になるまで常に監視状態にある必要がある。すなわち、ＤＲＸ非有効化タイマのタイミング時間内に、ネットワーク機器は端末機器のスケジューリングを行わないが、端末機器は常に監視状態にあることにより、端末機器の消費電力が増加する。
【００６６】
このため、本願の実施例はＤＲＸ状態の確定方法を提供し、動的指示情報によって端末機器に指示して端末機器のＤＲＸ状態の切替又は端末機器がＤＲＸ状態にある時間の変更を柔軟に行う。以下、図３及び図４を参照しながら、本願の実施例におけるＤＲＸ状態の確定方法について詳細に説明する。
【００６７】
図３は、本願の実施例におけるＤＲＸ状態を確定するための方法を示す概略的なフローチャートである。図３に示される方法は、以下を含む。
【００６８】
３１０、端末機器が、ネットワーク機器から送信される、端末機器にＤＲＸ状態を切り替えるように指示するか又は端末機器がＤＲＸ状態にある時間を指示するために用いられる第１の指示情報を受信する。
【００６９】
上記第１の指示情報は、端末機器に現在のＤＲＸ状態から他のＤＲＸ状態に切り替えるように指示してもよく、端末機器が現在のＤＲＸ状態にある時間又は端末機器が次のＤＲＸ状態にある時間を指示してもよい。
【００７０】
選択的に、端末機器が現在第１のＤＲＸ状態にある場合、第１の指示情報は第１のＤＲＸ状態から第２のＤＲＸ状態に切り替えるように端末機器に指示することができ、こうすると、端末機器は、第１の指示情報を受信すると、第１のＤＲＸ状態から第２のＤＲＸ状態に切り替えられる。具体的には、端末機器が現在第１のＤＲＸ状態にある場合、ネットワーク機器は、ネットワークの負荷が高いか又は端末機器の優先順位が低い（例えば、当該端末機器はモバイルブロードバンドサービスの拡張を実行する機器である）場合、上記第１の指示情報を生成して、第１のＤＲＸ状態から第２のＤＲＸ状態に切り替えるように端末機器に指示する。
【００７１】
３２０、端末機器は、上記の第１の指示情報に基づいて端末機器の現在のＤＲＸ状態を切り替えるか、又は、上記第１の指示情報に基づいて端末機器がＤＲＸ状態にある時間を確定し、端末機器の現在のＤＲＸ状態が第１のＤＲＸ状態又は第２のＤＲＸ状態であり、第１のＤＲＸ状態では端末機器の受信機をオンにし（ＰＤＣＣＨを監視する）、第２のＤＲＸ状態では端末機器の受信機をオフにする（ＰＤＣＣＨを監視しない）。
【００７２】
本願の実施例において、第１の指示情報で端末機器のＤＲＸ状態又は端末機器のＤＲＸ状態の時間を動的に調整でき、さらにＤＲＸモードでデータを送信する端末機器の効率を向上させ、端末機器の消費電力を低減する。
【００７３】
なお、上記第１の指示情報は端末機器がＤＲＸ状態にある時間を指示するために用いられる場合、当該ＤＲＸ状態は、端末機器の現在のＤＲＸ状態であっても、状態を切り替えた後の端末機器のＤＲＸ状態であってよいことを理解すべきである。
【００７４】
選択的に、端末機器の現在のＤＲＸ状態が第１のＤＲＸ状態であり、上記第１の指示情報は端末機器が第１のＤＲＸ状態にある時間を指示するために用いられ、端末機器が当該第１の指示情報を受信すると、端末機器が当該第１のＤＲＸ状態にある時間を確定することができる。
【００７５】
第１の指示情報で端末機器に第１のＤＲＸ状態にある時間を再設定することができ、すなわち、第１の指示情報で端末機器が第１のＤＲＸ状態にある時間を動的に調整することができ、それにより端末機器がＤＲＸでデータを伝送する効率を向上させる。
【００７６】
例えば、端末機器が第１のＤＲＸ状態であり、且つ現在のネットワークの負荷が高いとき、ネットワーク機器は現在期間内に端末機器のスケジューリングを行うことができず、このとき、ネットワーク機器は、端末機器が第１のＤＲＸ状態から第２のＤＲＸ状態に素早く切り替えられるように、第１の指示情報で短い時間を第１のＤＲＸ状態に再設定することができ、それにより端末機器の不必要な監視を減らし、消費電力を低減する。
【００７７】
選択的に、上記第１の指示情報が、端末機器が第１のＤＲＸ状態にある時間を指示するために用いられるとき、使用可能な指示方法が複数あり、少なくとも以下の数種を含む。
【００７８】
（１）、第１の指示情報は、具体的には、前記第１のＤＲＸ状態の持続時間が第１の時間帯であることを指示するために用いられる。
【００７９】
例えば、ネットワーク機器が端末機器に予め設定したＤＲＸパラメータに基づいて、端末機器が第１のＤＲＸ状態にある持続時間は３０ｍｓであり、且つ、現在端末機器が第１のＤＲＸ状態にある時間はすでに１０ｍｓになり、第１の指示情報が第１のＤＲＸ状態の持続時間が２０ｍｓであると指示すると、端末機器は第１の指示情報に基づいて第１のＤＲＸ状態の持続時間を最初の３０ｍｓではなく、２０ｍｓと確定し、つまり、現在からさらに１０ｍｓが経過した後、端末機器は第１のＤＲＸ状態から第２のＤＲＸ状態に切り替えられる。
【００８０】
（２）、第１の指示情報は、具体的には、第１のＤＲＸ状態を第１の時刻まで持続するように指示するために用いられる。
【００８１】
例えば、現在時刻が１０ｍｓである場合、ネットワーク機器が端末機器に予め設定したＤＲＸパラメータに基づいて、端末機器が第１のＤＲＸ状態にある時間は０ｍｓから３０ｍｓまで持続し、第１の指示情報が第１のＤＲＸ状態を２０ｍｓまで持続するように指示すると、端末機器は第１の指示情報を受信した後、第１のＤＲＸ状態を２０ｍｓまで持続することを確定でき、２０ｍｓになると、端末機器は第１のＤＲＸ状態から第２のＤＲＸ状態に切り替えられる。
【００８２】
選択的に、端末機器の現在のＤＲＸ状態が第１のＤＲＸ状態であり、さらに上記第１の指示情報は第２のＤＲＸ状態にある時間を端末機器に指示することができ、当該第２のＤＲＸ状態は、第１のＤＲＸ状態から状態を切り替えた後の端末機器のＤＲＸ状態である場合、端末機器は、第１の指示情報に基づいて端末機器が第２のＤＲＸ状態にある時間を確定することができ、つまり、端末機器は第１の指示情報に基づいて次のＤＲＸ状態にある時間を確定することができる。
【００８３】
選択的に、上記第１の指示情報が、端末機器が第２のＤＲＸ状態にある時間を指示するために用いられるとき、使用可能な指示方法が複数あり、少なくとも以下の数種を含む。
【００８４】
（３）、第１の指示情報は、具体的には、前記第２のＤＲＸ状態の持続時間が第２の時間帯であることを指示するために用いられる。
【００８５】
例えば、一定期間後、端末機器は現在の第１のＤＲＸ状態から第２のＤＲＸ状態に切り替えられ、ネットワーク機器が端末機器に設定したＤＲＸパラメータに基づいて、端末機器が次の第２のＤＲＸ状態にある持続時間が３０ｍｓであるが、第１の指示情報は端末機器に次の第２のＤＲＸ状態にある持続時間が２０ｍｓであると指示し、こうすると、第１の指示情報を受信した後、端末機器が第２のＤＲＸ状態に切り替えられた後、当該状態での持続時間が２０ｍｓに変わり、それにより端末機器が第２のＤＲＸ状態にある時間を短縮する。
【００８６】
（４）、第１の指示情報は、具体的には、第２のＤＲＸ状態を第２の時刻まで持続するように指示するために用いられる。
【００８７】
例えば、第１０ｍｓになったとき、端末機器は現在の第１のＤＲＸ状態から第２のＤＲＸ状態に切り替えられ、ネットワーク機器が端末機器に設定したＤＲＸパラメータに基づいて、端末機器は第１０ｍｓから第４０ｍｓまでの間には第２のＤＲＸ状態にあるが、第１の指示情報は、第２のＤＲＸ状態に切り替えられてから当該状態を維持し且つ３０ｍｓまで持続するように端末機器に指示し、こうすると、第１の指示情報を受信した後、端末機器は第１０ｍｓから第３０ｍｓまでの間には第２のＤＲＸ状態にあり、端末機器が第２のＤＲＸ状態にある時間を短縮する。
【００８８】
なお、第１の指示情報で端末機器が第１のＤＲＸ状態にあるかまたは第２のＤＲＸ状態にある時間を短縮することができるだけでなく、端末機器が第１のＤＲＸ状態又は第２のＤＲＸ状態にある時間を延長することもできることを理解すべきである。
【００８９】
以下、実施例１と実施例２を参照しながら、本願のＤＲＸ状態の確定方法について詳細に説明する。
【００９０】
＜実施例１＞
端末機器がネットワーク機器にデータスケジューリング要求を発信した後、ＤＲＸ非有効化タイマが起動し、端末機器がＰＤＣＣＨの監視を開始し、ネットワーク機器が端末機器のデータスケジューリング要求を受信した後、ネットワークの負荷が高いため、ネットワーク機器はＤＲＸ非有効化タイマのタイミング時間内に端末機器のスケジューリングを行うことができず、したがって、消費電力を低減するために、ネットワーク機器が端末機器に指示情報を送信して、端末機器がＤＲＸの有効化状態からＤＲＸのスリープ状態に切り替えられるように指示する。
【００９１】
＜実施例２＞
ネットワーク機器がＲＲＣシグナリングを通じて端末機器に設定したＨＡＲＱ  ＲＴＴ  Ｔｉｍｅｒは８サブフレーム長である。ＨＡＲＱを迅速にフィードバックする必要がある場合、ネットワーク機器は指示情報によりＨＡＲＱ  ＲＴＴ  Ｔｉｍｅｒの持続時間を４サブフレームにするように指示することができ、それにより端末機器がＤＲＸのスリープ状態からＤＲＸの有効化状態に迅速に切り替えられてＰＤＣＣＨを監視することができ、ＨＡＲＱを迅速にフィードバックする必要がない場合、ネットワーク機器は指示情報によりＨＡＲＱ  ＲＴＴ  Ｔｉｍｅｒの持続時間を１２サブフレームにするように指示することができ、それにより端末機器がＤＲＸのスリープ状態を長時間持続してからＤＲＸの有効化状態に切り替えられる。
【００９２】
選択的に、上記第１の指示情報は、さらに、メディアアクセス制御ユニットＭＡＣ  ＣＥで載せられてもよい。具体的には、表１に示すように、表１は、論理チャネルＩＤフィールド識別に対応するＭＡＣのサービスデータユニット（Ｓｅｒｖｉｃｅ  Ｄａｔａ  Ｕｎｉｔ、ＳＤＵ）の論理チャネルの実施例及び対応するＭＡＣ制御ユニット又はパディングタイプを示す。
【００９３】
上記第１の指示情報は、表１に示されたＤＲＸコマンド（ＤＲＸＣｏｍｍａｎｄ）ＭＡＣ  ＣＥ、ロングＤＲＸコマンド（Ｌｏｎｇ  ＤＲＸ  Ｃｏｍｍａｎｄ）ＭＡＣ  ＣＥ、及び論理チャネルにより指示される予約済み（Ｒｅｓｅｒｖｅｄ）ＭＡＣ  ＣＥのうち少なくとも１つである。
【００９４】
【表１】
2020509627.tif 000003
【００９５】
選択的に、上記第１の指示情報は、下り制御情報（Ｄｏｗｎｌｉｎｋ  Ｃｏｎｔｒｏｌ  Ｉｎｆｏｒｍａｔｉｏｎ、ＤＣＩ）で載せられる。
【００９６】
具体的には、ＤＣＩに新しいドメイン（ＤＲＸ−Ｔｒｉｇｇｅｒ）を追加することによって上記第１の指示情報を表すことができ、ＤＲＸ−Ｔｒｉｇｇｅｒは１ビットの情報であってよく、０は、端末機器が第１のＤＲＸ状態から第２のＤＲＸ状態に切り替えられるようにトリガすることを示し、１は、端末機器が現在の第１のＤＲＸ状態を維持するようにトリガすることを示す。
【００９７】
選択的に、上記端末機器は、専用下り制御チャネル又は共通制御チャネルを介して前記ネットワーク機器から送信される第１の指示情報を受信することができる。
【００９８】
選択的に、ネットワーク機器は、端末機器に複数のＤＲＸパラメータを予め設定することができ、このとき、第１の指示情報はネットワーク機器が前記端末機器に動的に設定した標的ＤＲＸパラメータを指示するために用いられ、当該標的ＤＲＸパラメータは端末機器がＤＲＸ状態にある時間を指示するために用いられる。
【００９９】
上記第１の指示情報が標的ＤＲＸパラメータを指示する指示方法は複数あり、例えば、第１の指示情報は、標的ＤＲＸパラメータの予め設定した複数のＤＲＸパラメータにおけるインデックスを具体的に指示することができ、第１の指示情報は、さらに、標的ＤＲＸパラメータのインデックスと第１のＤＲＸパラメータのインデックスとの間の差分値を具体的に指示することもでき、当該第１のＤＲＸパラメータは予め設定した複数のＤＲＸパラメータのうちのいずれか１つのＤＲＸパラメータである。好ましくは、上記第１のＤＲＸパラメータは、ネットワーク機器がＲＲＣシグナリングを通じて端末機器に予め設定したデフォルトＤＲＸパラメータである。
【０１００】
すなわち、第１の指示情報は、直接指示する方法で標的ＤＲＸパラメータのインデックスを指示してもよく、当該標的ＤＲＸパラメータのインデックスと、あるＤＲＸパラメータのインデックスとの間の差分値を間接的に指示してもよい。
【０１０１】
なお、上記第１の指示情報は、第１の指示情報自身により端末機器にＤＲＸ状態にある時間（このとき、第１の指示情報が指示するものは時間情報である）を直接指示することができるだけでなく、上記第１の指示情報は、さらに、標的ＤＲＸパラメータを間接的に指示する方法で端末機器がＤＲＸ状態にある時間を指示することができることを理解すべきである。
【０１０２】
上記では、図３を参照しながら、端末機器から本願の実施例におけるＤＲＸ状態の確定方法について詳細に説明したが、以下では、図４を参照しながら、ネットワーク機器から本願の実施例におけるＤＲＸ状態の確定方法について説明する。なお、以下、図４を参照してネットワーク機器から説明した本願の実施例におけるＤＲＸ状態の確定方法は、図３を参照して端末機器から説明した本願の実施例におけるＤＲＸ状態の確定方法と対応し、簡潔にするために、以下では繰り返しの説明は適切に省略される。
【０１０３】
図４は、本願の実施例におけるＤＲＸ状態を確定するための方法を示す概略的なフローチャートである。図４の方法は、
ネットワーク機器が、端末機器にＤＲＸ状態を切り替えるように指示するか又は前記端末機器がＤＲＸ状態にある時間を指示するための第１の指示情報を生成するステップ４１０と、
前記ネットワーク機器が前記端末機器に前記第１の指示情報を送信するステップ４２０とを含む。
【０１０４】
本願の実施例において、第１の指示情報がネットワーク状態に基づいて端末機器のＤＲＸ状態又はＤＲＸ状態にある時間を動的に調整することにより、端末機器がＤＲＸモードでデータを伝送する効率を向上させ、端末機器の消費電力を低減する。
【０１０５】
選択的に、一実施例として、前記方法は、前記ネットワーク機器がネットワークの負荷に基づいて前記第１の指示情報を確定することを更に含む。
【０１０６】
選択的に、一実施例として、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１０７】
選択的に、一実施例として、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１０８】
選択的に、一実施例として、前記第１の指示情報は、具体的には、前記第１のＤＲＸ状態の持続時間が第１の時間帯であると指示するために用いられる。
【０１０９】
選択的に、一実施例として、前記第１の指示情報は、前記第１のＤＲＸ状態を第１の時刻まで持続するように指示するために用いられる。
【０１１０】
選択的に、一実施例として、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１１１】
選択的に、一実施例として、前記第１の指示情報は、具体的には、前記第２のＤＲＸ状態の持続時間が第２の時間帯であると指示するために用いられる。
【０１１２】
選択的に、一実施例として、前記第１の指示情報は、具体的には、前記第２のＤＲＸ状態を第２の時刻まで持続するように指示するために用いられる。
【０１１３】
選択的に、一実施例として、前記第１の指示情報は下り制御情報ＤＣＩで載せられる。
【０１１４】
選択的に、一実施例として、前記第１の指示情報はメディアアクセス制御ユニットＭＡＣ  ＣＥで載せられる。
【０１１５】
選択的に、一実施例として、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１１６】
選択的に、一実施例として、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１１７】
選択的に、一実施例として、前記ネットワーク機器が前記端末機器に前記第１の指示情報を送信するステップは、
前記ネットワーク機器が専用下り制御チャネル又は共通制御チャネルを介して前記端末機器に前記第１の指示情報を送信することを含む。
【０１１８】
選択的に、一実施例として、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１１９】
選択的に、一実施例として、前記第１の指示情報は、具体的には、予め設定した複数のＤＲＸパラメータにおける前記標的ＤＲＸパラメータのインデックスを指示するために用いられる。
【０１２０】
選択的に、一実施例として、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１２１】
上記では、図３と図４を参照しながら、本発明の実施例のＤＲＸ状態の確定方法について詳細に説明した。以下では、図５〜図８を参照しながら、本発明の実施例の端末機器及びネットワーク機器について詳細に説明する。なお、図５〜図８における端末機器とネットワーク機器は、図３と図４における端末機器とネットワーク機器により実行される各ステップを実施することができ、簡潔にするために、以下では繰り返しの説明は適切に省略される。
【０１２２】
図５は、本願の実施例における端末機器の概略構造図である。図５の端末機器５００は、
ネットワーク機器から送信される、前記端末機器にＤＲＸ状態を切り替えるように指示するか又は前記端末機器がＤＲＸ状態にある時間を指示するための第１の指示情報を受信するために用いられる通信モジュール５１０と、
前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられる処理モジュール５２０と、を含む。
【０１２３】
選択的に、一実施例として、前記端末機器の現在のＤＲＸ状態が第１のＤＲＸ状態であり、前記第１の指示情報が前記端末機器に第２のＤＲＸ状態に切り替えるように指示し、前記処理モジュール５２０は、具体的には、前記第１の指示情報に基づいて第１のＤＲＸ状態から第２のＤＲＸ状態に切り替えるために用いられる。
【０１２４】
選択的に、一実施例として、前記端末機器の現在のＤＲＸ状態が前記第１のＤＲＸ状態にあり、前記第１の指示情報は前記端末機器が前記第１のＤＲＸ状態にある時間を指示するために用いられ、前記処理モジュール５２０は、具体的には、前記第１の指示情報に基づいて前記端末機器が前記第１のＤＲＸ状態にある時間を確定するために用いられる。
【０１２５】
選択的に、一実施例として、前記第１の指示情報は、具体的には、前記第１のＤＲＸ状態の持続時間が第１の時間帯であると指示するために用いられ、前記処理モジュール５２０は、具体的には、前記第１の指示情報に基づいて前記第１のＤＲＸ状態の持続時間が第１の時間帯であることを確定するために用いられる。
【０１２６】
選択的に、一実施例として、前記第１の指示情報は前記第１のＤＲＸ状態が第１の時刻まで持続するように指示するために用いられ、前記処理モジュール５２０は、具体的には、前記第１の指示情報に基づいて前記第１のＤＲＸ状態を前記第１の時刻まで持続することを確定するために用いられる。
【０１２７】
選択的に、一実施例として、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記処理モジュール５２０は、具体的には、前記第１の指示情報に基づいて前記端末機器が前記第２のＤＲＸ状態にある時間を確定するために用いられる。
【０１２８】
選択的に、一実施例として、前記第１の指示情報は、具体的には、前記第２のＤＲＸ状態の持続時間が第２の時間帯であると指示するために用いられ、前記処理モジュール５２０は、具体的には、前記第１の指示情報に基づいて前記第２のＤＲＸ状態の持続時間が前記第２の時間帯であることを確定するために用いられる。
【０１２９】
選択的に、一実施例として、前記第１の指示情報は、具体的には、前記第２のＤＲＸ状態を第２の時刻まで持続するように指示するために用いられ、前記処理モジュール５２０は、具体的には、前記第１の指示情報に基づいて前記第２のＤＲＸ状態を前記第２の時刻まで持続することを確定するために用いられる。
【０１３０】
選択的に、一実施例として、前記第１の指示情報は下り制御情報ＤＣＩで載せられる。
【０１３１】
選択的に、一実施例として、前記第１の指示情報はメディアアクセス制御ユニットＭＡＣ  ＣＥで載せられる。
【０１３２】
選択的に、一実施例として、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【０１３３】
選択的に、一実施例として、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１３４】
選択的に、一実施例として、前記通信モジュール５１０は、具体的には、専用下り制御チャネル又は共通制御チャネルを介して前記ネットワーク機器から送信される前記第１の指示情報を受信するために用いられる。
【０１３５】
選択的に、一実施例として、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１３６】
選択的に、一実施例として、前記第１の指示情報は、具体的には、予め設定した複数のＤＲＸパラメータにおける前記標的ＤＲＸパラメータのインデックスを指示するために用いられる。
【０１３７】
選択的に、一実施例として、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１３８】
図６は、本願の実施例におけるネットワーク機器の概略構造図である。図６のネットワーク機器６００は、
端末機器にＤＲＸ状態を切り替えるように指示するか又は前記端末機器がＤＲＸ状態にある時間を指示するための第１の指示情報を生成するために用いられる処理モジュール６１０と、
前記端末機器に前記第１の指示情報を送信するために用いられる通信モジュール６２０と、を含む。
【０１３９】
選択的に、一実施例として、前記処理モジュール６１０は、さらに、ネットワークの負荷に基づいて前記第１の指示情報確定するために用いられる。
【０１４０】
選択的に、一実施例として、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１４１】
選択的に、一実施例として、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１４２】
選択的に、一実施例として、前記第１の指示情報は、具体的には、前記第１のＤＲＸ状態の持続時間が第１の時間帯であると指示するために用いられる。
【０１４３】
選択的に、一実施例として、前記第１の指示情報は、前記第１のＤＲＸ状態を第１の時刻まで持続するように指示するために用いられる。
【０１４４】
選択的に、一実施例として、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１４５】
選択的に、一実施例として、前記第１の指示情報は、具体的には、前記第２のＤＲＸ状態の持続時間が第２の時間帯であると指示するために用いられる。
【０１４６】
選択的に、一実施例として、前記第１の指示情報は、具体的には、前記第２のＤＲＸ状態を第２の時刻まで持続するように指示するために用いられる。
【０１４７】
選択的に、一実施例として、前記第１の指示情報は下り制御情報ＤＣＩで載せられる。
【０１４８】
選択的に、一実施例として、前記第１の指示情報はメディアアクセス制御ユニットＭＡＣ  ＣＥで載せられる。
【０１４９】
選択的に、一実施例として、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１５０】
選択的に、一実施例として、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１５１】
選択的に、一実施例として、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【０１５２】
選択的に、一実施例として、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１５３】
選択的に、一実施例として、前記第１の指示情報は、具体的には、予め設定した複数のＤＲＸパラメータにおける前記標的ＤＲＸパラメータのインデックスを指示するために用いられる。
【０１５４】
選択的に、一実施例として、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１５５】
図７は、本願の実施例における端末機器の概略構造図である。図７の端末機器７００は、
ネットワーク機器から送信される、前記端末機器にＤＲＸ状態を切り替えるように指示するか又は前記端末機器がＤＲＸ状態にある時間を指示するための第１の指示情報を受信するために用いられる送受信機７１０と、
前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられるプロセッサ７２０と、を含む。
【０１５６】
選択的に、一実施例として、前記端末機器の現在のＤＲＸ状態が第１のＤＲＸ状態であり、前記第１の指示情報が前記端末機器に第２のＤＲＸ状態に切り替えるように指示し、前記プロセッサ７２０は、具体的には、前記第１の指示情報に基づいて第１のＤＲＸ状態から第２のＤＲＸ状態に切り替えるために用いられる。
【０１５７】
選択的に、一実施例として、前記端末機器の現在のＤＲＸ状態が前記第１のＤＲＸ状態にあり、前記第１の指示情報は前記端末機器が前記第１のＤＲＸ状態にある時間を指示するために用いられ、前記プロセッサ７２０は、具体的には、前記第１の指示情報に基づいて前記端末機器が前記第１のＤＲＸ状態にある時間を確定するために用いられる。
【０１５８】
選択的に、一実施例として、前記第１の指示情報は、具体的には、前記第１のＤＲＸ状態の持続時間が第１の時間帯であると指示するために用いられ、前記プロセッサ７２０は、具体的には、前記第１の指示情報に基づいて前記第１のＤＲＸ状態の持続時間が第１の時間帯であることを確定するために用いられる。
【０１５９】
選択的に、一実施例として、前記第１の指示情報は前記第１のＤＲＸ状態が第１の時刻まで持続するように指示するために用いられ、前記プロセッサ７２０は、具体的には、前記第１の指示情報に基づいて前記第１のＤＲＸ状態を前記第１の時刻まで持続することを確定するために用いられる。
【０１６０】
選択的に、一実施例として、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記プロセッサ７２０は、具体的には、前記第１の指示情報に基づいて前記端末機器が前記第２のＤＲＸ状態にある時間を確定するために用いられる。
【０１６１】
選択的に、一実施例として、前記第１の指示情報は、具体的には、前記第２のＤＲＸ状態の持続時間が第２の時間帯であると指示するために用いられ、前記プロセッサ７２０は、具体的には、前記第１の指示情報に基づいて前記第２のＤＲＸ状態の持続時間が前記第２の時間帯であることを確定するために用いられる。
【０１６２】
選択的に、一実施例として、前記第１の指示情報は、具体的には、前記第２のＤＲＸ状態を第２の時刻まで持続するように指示するために用いられ、前記プロセッサ７２０は、具体的には、前記第１の指示情報に基づいて前記第２のＤＲＸ状態を前記第２の時刻まで持続することを確定するために用いられる。
【０１６３】
選択的に、一実施例として、前記第１の指示情報は下り制御情報ＤＣＩで載せられる。
【０１６４】
選択的に、一実施例として、前記第１の指示情報はメディアアクセス制御ユニットＭＡＣ  ＣＥで載せられる。
【０１６５】
選択的に、一実施例として、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【０１６６】
選択的に、一実施例として、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１６７】
選択的に、一実施例として、前記送受信機７１０は、具体的には、専用下り制御チャネル又は共通制御チャネルを介して前記ネットワーク機器から送信される前記第１の指示情報を受信するために用いられる。
【０１６８】
選択的に、一実施例として、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１６９】
選択的に、一実施例として、前記第１の指示情報は、具体的には、予め設定した複数のＤＲＸパラメータにおける前記標的ＤＲＸパラメータのインデックスを指示するために用いられる。
【０１７０】
選択的に、一実施例として、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１７１】
図８は、本願の実施例におけるネットワーク機器の概略構造図である。図８のネットワーク機器８００は、
端末機器にＤＲＸ状態を切り替えるように指示するか又は前記端末機器がＤＲＸ状態にある時間を指示するための第１の指示情報を生成するために用いられるプロセッサ８１０と、
前記端末機器に前記第１の指示情報を送信するために用いられる送受信機８２０と、を含む。
【０１７２】
選択的に、一実施例として、前記プロセッサ８１０は、さらに、ネットワークの負荷に基づいて前記第１の指示情報を確定するために用いられる。
【０１７３】
選択的に、一実施例として、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１７４】
選択的に、一実施例として、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１７５】
選択的に、一実施例として、前記第１の指示情報は、具体的には、前記第１のＤＲＸ状態の持続時間が第１の時間帯であると指示するために用いられる。
【０１７６】
選択的に、一実施例として、前記第１の指示情報は、前記第１のＤＲＸ状態を第１の時刻まで持続するように指示するために用いられる。
【０１７７】
選択的に、一実施例として、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１７８】
選択的に、一実施例として、前記第１の指示情報は、具体的には、前記第２のＤＲＸ状態の持続時間が第２の時間帯であると指示するために用いられる。
【０１７９】
選択的に、一実施例として、前記第１の指示情報は、具体的には、前記第２のＤＲＸ状態を第２の時刻まで持続するように指示するために用いられる。
【０１８０】
選択的に、一実施例として、前記第１の指示情報は下り制御情報ＤＣＩで載せられる。
【０１８１】
選択的に、一実施例として、前記第１の指示情報はメディアアクセス制御ユニットＭＡＣ  ＣＥで載せられる。
【０１８２】
選択的に、一実施例として、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１８３】
選択的に、一実施例として、前記第１の指示情報が前記予約済み論理チャネル標識サブヘッダーによって指示されるＭＡＣ  ＣＥで載せられる場合、前記第１の指示情報はＤＲＸ状態の切替情報及び／又はＤＲＸの持続時間情報を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１８４】
選択的に、一実施例として、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【０１８５】
選択的に、一実施例として、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１８６】
選択的に、一実施例として、前記第１の指示情報は、具体的には、予め設定した複数のＤＲＸパラメータにおける前記標的ＤＲＸパラメータのインデックスを指示するために用いられる。
【０１８７】
選択的に、一実施例として、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１８８】
図９は、本願の実施例におけるシステムチップの１つの概略構造図である。図９のシステムチップ９００は、入力インタフェース９０１、及び出力インタフェース９０２を含み、前記プロセッサ９０３とメモリ９０４とはバス９０５を介して接続され、前記プロセッサ９０３は前記メモリ９０４内のコードを実行するために用いられる。
【０１８９】
選択的に、前記コードが実行されるとき、前記プロセッサ９０３は、方法の実施例における端末機器で実行される方法を実施する。簡潔にするために、以下では繰り返しの説明は適切に省略される。
【０１９０】
選択的に、前記コードが実行されるとき、前記プロセッサ９０３は、方法の実施例におけるネットワーク機器で実行される方法を実施する。簡潔にするために、以下では繰り返しの説明は適切に省略される。
【０１９１】
当業者は、本明細書に開示されている各実施例に記載の様々な例のユニットおよびアルゴリズムステップは、電子ハードウェア、またはコンピュータソフトウェアと電子ハードウェアの組み合わせにより実施され得ることを認識することができる。これらの機能をハードウェアで実行するかまたはソフトウェアで実行するかは、技術的解決手段の特定の用途及び設計上の制限条件によって異なる。当業者は、各特定の用途に対して異なる方法で記載の機能を実現することができるが、このような実現は、本願の範囲内のものと見なすべきである。
【０１９２】
当業者であれば、説明の便宜および簡潔さのため、上記のシステム、装置及びユニットの具体的な動作プロセスについては前述の方法の実施例の対応するプロセスを参照すればよいことを明確に理解することができ、ここでは詳細な説明を省略する。
【０１９３】
なお、本願に係るいくつかの実施例に開示されているシステム、装置及び方法は、その他の形態で実施されることができることを理解すべきである。例えば、上述した装置の実施例は、例示的なものに過ぎず、例えば、各ユニットの分割は、論理的な機能分割に過ぎず、実際に実施する際にその他の形態で分割することもでき、例えば、複数のユニットまたはアセンブリを組み合わせてもよく別のシステムに集積してもよく、または一部の特徴を無視するか実行しなくてもよい。また、表示されるか又は検討される相互結合、直接結合または通信接続は、一部のインタフェース、装置またはユニットを介して間接的に結合されるものまたは通信接続されるものであってもよく、電気的形態、機械的形態もしくはその他の形態であってもよい。
【０１９４】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに配置されてもよい。実際の必要性に応じて、一部のユニットまたは全てのユニットを用いて当該実施例の目的を実現することができる。
【０１９５】
また、本願の実施例において、各機能ユニットは、１つの処理ユニットに集積されても、物理的に別々の部品として存在しても、２つ以上のユニットが１つのユニットに集積されてもよい。
【０１９６】
前記機能は、ソフトウェアの機能ユニットの形態で実施されて、独立した製品として販売または使用される場合、コンピュータ可読記憶媒体に格納できる。このような理解に基づいて、本願の技術的解決手段は、本質上既存の技術に貢献がある部分或いは当該技術的解決手段の一部は、ソフトウェア製品の形態で具現化されることができ、当該コンピュータソフトウェア製品は記憶媒体に格納され、コンピュータデバイス（パソコン、サーバ、またはネットワーク機器など）に本願の各実施例に係るすべての方法または一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プロクラムコードを格納できる様々な媒体を含む。
【０１９７】
以上、本願の具体的な実現形態について説明したが、本願の保護範囲はこれらに限定されず、当業者であれば、本願に開示された技術的範囲内で容易に変更や置換することが想到でき、いずれも本願の保護範囲に含まれるべきである。したがって、本願の保護範囲は、特許請求の範囲に記載の内容に準拠するものとする。
【図１】
2020509627.tif 000004
【図２】
2020509627.tif 000005
【図３】
2020509627.tif 000006
【図４】
2020509627.tif 000007
【図５】
2020509627.tif 000008
【図６】
2020509627.tif 000009
【図７】
2020509627.tif 000010
【図８】
2020509627.tif 000011
【図９】
2020509627.tif 000012
【手続補正書】
【提出日】令和1年12月3日(2019.12.3)
【手続補正１】
【補正対象書類名】明細書
【補正対象項目名】全文
【補正方法】変更
【補正の内容】
【発明の詳細な説明】
【技術分野】
【０００１】
本願の実施例は、通信分野に関し、特に不連続受信状態の確定方法、端末機器及びネットワーク機器に関する。
【背景技術】
【０００２】
消費電力を低減するために、端末機器は、不連続受信（Ｄｉｓｃｏｎｔｉｎｕｏｕｓ  Ｒｅｃｅｐｔｉｏｎ、ＤＲＸ）モードを用いてネットワーク機器から送信されるデータを受信することができる。既存の解決手段では、ＤＲＸ機能を実現するために、ネットワーク機器は、（Ｒａｄｉｏ  Ｒｅｓｏｕｒｃｅ  Ｃｏｎｔｒｏｌ、ＲＲＣ）シグナリングを通じて端末機器にＤＲＸパラメータを静的に設定し、例えば、ＲＲＣシグナリングで端末機器に持続時間タイマ（Ｏｎ  Ｄｕｒａｔｉｏｎ  Ｔｉｍｅｒ）、ＤＲＸ非有効化タイマ（ＤＲＸ  Ｉｎａｃｔｉｖｉｔｙ  Ｔｉｍｅｒ）などのパラメータを設定する。しかし、端末機器のＤＲＸ状態を変更する必要がある場合、このような方法は柔軟性に欠ける。
【発明の概要】
【発明が解決しようとする課題】
【０００３】
本願の実施例は、端末機器のＤＲＸ状態を動的に調整するために、不連続受信ＤＲＸ状態を確定するための方法、端末機器及びネットワーク機器を提供する。
【０００４】
第１の態様では、不連続受信ＤＲＸ状態を確定するための方法を提供し、当該方法は、端末機器が、ネットワーク機器から送信される、前記端末機器にＤＲＸ状態を切り替えるように指示するか又は前記端末機器がＤＲＸ状態にある時間を指示するための第１の指示情報を受信するステップと、前記端末機器が、前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするステップと、を含む。
【０００５】
端末機器のＤＲＸ状態又は端末機器のＤＲＸ状態の時間を第１の指示情報で動的に調整でき、さらにＤＲＸモードでデータを送信する端末機器の効率を向上させ、端末機器の消費電力を低減する。
【０００６】
第１の態様を参照して、第１の態様の一部の実現形態において、前記端末機器の現在のＤＲＸ状態が第１のＤＲＸ状態であり、前記第１の指示情報が前記端末機器に第２のＤＲＸ状態に切り替えるように指示し、前記端末機器が、前記第１の指示情報に基づいてＤＲＸ状態を切り替えることは、前記端末機器が、前記第１の指示情報に基づいて第１のＤＲＸ状態から第２のＤＲＸ状態に切り替えられることを含む。
【０００７】
端末機器が現在第１のＤＲＸ状態にあるとき、端末機器は第１の指示情報の指示に基づいて第１のＤＲＸ状態から第２のＤＲＸ状態への切り替えを実現し、従来技術における第１のＤＲＸ状態のタイマが無効になってからしかＤＲＸ状態の切り替えを実現できないことに比べて、第１のＤＲＸ状態から第２のＤＲＸ状態への切り替えをより柔軟且つ便利に実現できる。
【０００８】
第１の態様を参照して、第１の態様の一部の実現形態において、前記端末機器の現在のＤＲＸ状態が前記第１のＤＲＸ状態にあり、前記第１の指示情報は前記端末機器が前記第１のＤＲＸ状態にある時間を指示するために用いられ、前記端末機器は前記第１の指示情報に基づいて前記端末機器のＤＲＸ状態の時間を確定することは、前記端末機器が、前記第１の指示情報に基づいて前記端末機器が前記第１のＤＲＸ状態にある時間を確定することを含む。
【０００９】
従来技術における第１のＤＲＸ状態に静的設定方法で固定時間を設定する方法に比べて、本願の実施例は、端末機器が第１のＤＲＸ状態にある時間を第１の指示情報で柔軟に調整できる。
【００１０】
第１の態様を参照して、第１の態様の一部の実現形態において、前記第１の指示情報は、具体的には、前記第１のＤＲＸ状態の持続時間が第１の時間帯であると指示するために用いられ、前記端末機器は前記第１の指示情報に基づいて前記第１のＤＲＸ状態の持続時間を確定することは、前記端末機器が、前記第１の指示情報に基づいて前記第１のＤＲＸ状態の持続時間が第１の時間帯であることを確定することを含む。
【００１１】
第１の態様を参照して、第１の態様の一部の実現形態において、前記第１の指示情報は前記第１のＤＲＸ状態が第１の時刻まで持続するように指示するために用いられ、前記端末機器は前記第１の指示情報に基づいて前記第１のＤＲＸ状態の持続時間を確定することは、前記端末機器が、前記第１の指示情報に基づいて前記第１のＤＲＸ状態を前記第１の時刻まで持続することを確定することを含む。
【００１２】
第１の指示情報が、端末機器が第１のＤＲＸ状態にある時間を指示するとき、端末機器が第１のＤＲＸ状態にある時間帯を指示してもよく、第１のＤＲＸ状態の終了時刻などを指示してもよく、指示方法は柔軟である。
【００１３】
第１の態様を参照して、第１の態様の一部の実現形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記端末機器は前記第１の指示情報に基づいて前記端末機器のＤＲＸ状態の時間を確定することは、前記端末機器が、前記第１の指示情報に基づいて前記端末機器が前記第２のＤＲＸ状態にある時間を確定することを含む。
【００１４】
第１の指示情報で端末機器が現在のＤＲＸ状態にある時間を指示できるだけでなく、端末機器が次に入るＤＲＸ状態の時間を指示することもできる。
【００１５】
第１の態様を参照して、第１の態様の一部の実現形態において、前記第１の指示情報は、具体的には、前記第２のＤＲＸ状態の持続時間が第２の時間帯であると指示するために用いられ、前記端末機器は前記第１の指示情報に基づいて前記第２のＤＲＸ状態の持続時間を確定することは、前記端末機器が、前記第１の指示情報に基づいて前記第２のＤＲＸ状態の持続時間が前記第２の時間帯であることを確定することを含む。
【００１６】
第１の態様を参照して、第１の態様の一部の実現形態において、前記第１の指示情報は、具体的には、前記第２のＤＲＸ状態を第２の時刻まで持続するように指示するために用いられ、前記端末機器は前記第１の指示情報に基づいて前記第２のＤＲＸ状態の持続時間を確定することは、前記端末機器が、前記第１の指示情報に基づいて前記第２のＤＲＸ状態を前記第２の時刻まで持続することを確定することを含む。
【００１７】
第１の態様を参照して、第１の態様の一部の実現形態において、前記第１の指示情報は下り制御情報ＤＣＩで載せられる。
【００１８】
第１の態様を参照して、第１の態様の一部の実現形態において、前記第１の指示情報はメディアアクセス制御ユニットＭＡＣ  ＣＥで載せられる。
【００１９】
第１の態様を参照して、第１の態様の一部の実現形態において、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【００２０】
第１の態様を参照して、第１の態様の一部の実現形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも１方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【００２１】
第１の態様を参照して、第１の態様の一部の実現形態において、前記端末機器がネットワーク機器から送信される第１の指示情報を受信することは、前記端末機器が専用下り制御チャネル又は共通制御チャネルを介して前記ネットワーク機器から送信される前記第１の指示情報を受信することを含む。
【００２２】
第１の態様を参照して、第１の態様の一部の実現形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【００２３】
本願の実施例において、第１の指示情報は、予め端末機器に設定した複数のＤＲＸパラメータにおける標的ＤＲＸパラメータを指示する方法により、端末機器のＤＲＸ状態の時間を指示することを実現することができる。
【００２４】
第１の態様を参照して、第１の態様の一部の実現形態において、前記第１の指示情報は、具体的には、予め設定した複数のＤＲＸパラメータにおける前記標的ＤＲＸパラメータのインデックスを指示するために用いられる。
【００２５】
端末機器は、第１の指示情報が指示した標的ＤＲＸパラメータのインデックスに基づいて、予め設定した複数のＤＲＸパラメータから標的ＤＲＸパラメータを容易に確定することができる。
【００２６】
第１の態様を参照して、第１の態様の一部の実現形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【００２７】
上記第１のＤＲＸパラメータは、ネットワーク機器がＲＲＣシグナリングを通じて予め端末機器に設定したＤＲＸパラメータであってよい。
【００２８】
端末機器のＤＲＸ状態の時間を調整する必要があるとき、第１の指示情報で標的ＤＲＸパラメータのインデックスと第１のＤＲＸパラメータのインデックスとの間の差分値を指示することにより、標的ＤＲＸパラメータを指示することができる。第１の指示情報で標的ＤＲＸパラメータのインデックスと第１のＤＲＸパラメータのインデックスとの間の差分値を指示する方法と標的ＤＲＸパラメータのインデックスを直接指示する方法とを比べると、標的ＤＲＸパラメータのインデックスが第１のＤＲＸパラメータのインデックスに比較的類似する場合、より少ないビット数で標的ＤＲＸパラメータに対する指示を実現できる。
【００２９】
第２の態様では、不連続受信ＤＲＸ状態を確定するための方法を提供し、該方法は、ネットワーク機器が、端末機器にＤＲＸ状態を切り替えるように指示するか又は前記端末機器がＤＲＸ状態にある時間を指示するための第１の指示情報を生成するステップと、前記ネットワーク機器が前記端末機器に前記第１の指示情報を送信するステップと、を含む。
【００３０】
第１の指示情報で端末機器のＤＲＸ状態又は端末機器のＤＲＸ状態の時間を動的に調整でき、さらにＤＲＸモードでデータを送信する端末機器の効率を向上させ、端末機器の消費電力を低減する。
【００３１】
第２の態様を参照して、第２の態様の一部の実現形態において、前記方法は、さらに、前記ネットワーク機器がネットワークの負荷に基づいて前記第１の指示情報を確定することを含む。
【００３２】
第２の態様を参照して、第２の態様の一部の実現形態において、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【００３３】
第２の態様を参照して、第２の態様の一部の実現形態において、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【００３４】
第２の態様を参照して、第２の態様の一部の実現形態において、前記第１の指示情報は、具体的には、前記第１のＤＲＸ状態の持続時間が第１の時間帯であると指示するために用いられる。
【００３５】
第２の態様を参照して、第２の態様の一部の実現形態において、前記第１の指示情報は、前記第１のＤＲＸ状態を第１の時刻まで持続するように指示するために用いられる。
【００３６】
第２の態様を参照して、第２の態様の一部の実現形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【００３７】
第２の態様を参照して、第２の態様の一部の実現形態において、前記第１の指示情報は、具体的には、前記第２のＤＲＸ状態の持続時間が第２の時間帯であると指示するために用いられる。
【００３８】
第２の態様を参照して、第２の態様の一部の実現形態において、前記第１の指示情報は、具体的には、前記第２のＤＲＸ状態を第２の時刻まで持続するように指示するために用いられる。
【００３９】
第２の態様を参照して、第２の態様の一部の実現形態において、前記第１の指示情報は下り制御情報ＤＣＩで載せられる。
【００４０】
第２の態様を参照して、第２の態様の一部の実現形態において、前記第１の指示情報はメディアアクセス制御ユニットＭＡＣ  ＣＥで載せられる。
【００４１】
第２の態様を参照して、第２の態様の一部の実現形態において、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【００４２】
第２の態様を参照して、第２の態様の一部の実現形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【００４３】
第２の態様を参照して、第２の態様の一部の実現形態において、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【００４４】
第２の態様を参照して、第２の態様の一部の実現形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【００４５】
第２の態様を参照して、第２の態様の一部の実現形態において、前記第１の指示情報は、具体的には、予め設定した複数のＤＲＸパラメータにおける前記標的ＤＲＸパラメータのインデックスを指示するために用いられる。
【００４６】
第２の態様を参照して、第２の態様の一部の実現形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【００４７】
第３の態様では、端末機器を提供し、前記端末機器は、前記第１の態様又はその様々な実現形態における方法を実行するために用いられるモジュールを含む。
【００４８】
第４の態様では、ネットワーク機器を提供し、前記ネットワーク機器は、前記第２の態様又はその様々な実現形態における方法を実行するために用いられるモジュールを含む。
【００４９】
第５の態様では、端末機器を提供し、前記端末機器は、送受信機と、前記送受信機に基づいて第１の態様又はその様々な実現形態における方法を実行するプロセッサと、を含む。
【００５０】
第６態様では、ネットワーク機器を提供し、前記ネットワーク機器は、送受信機と、前記送受信機に基づいて第２の態様又はその様々な実現形態における方法を実行するプロセッサと、を含む。
【００５１】
第７態様では、コンピュータ可読媒体を提供し、前記コンピュータ可読媒体は、機器によって実行されるためのプログラムコードを格納し、前記プログラムコードは、第１の態様での方法を実行するための命令を含む。
【００５２】
第８態様では、コンピュータ可読媒体を提供し、前記コンピュータ可読媒体は、機器によって実行されるためのプログラムコードを格納し、前記プログラムコードは、第２の態様での方法を実行するための命令を含む。
【００５３】
第９態様では、システムチップを提供し、前記システムチップは、入力インタフェースと、出力インタフェースと、プロセッサと、メモリとを含み、当該プロセッサは当該メモリ内のコードを実行するために用いられ、当該コードが実行されるとき、当該プロセッサは前述の第１の態様における端末機器に実行される各プロセスを実現できる。
【００５４】
第１０態様では、システムチップを提供し、前記システムチップは、入力インタフェースと、出力インタフェースと、プロセッサと、メモリとを含み、当該プロセッサは当該メモリ内のコードを実行するために用いられ、当該コードが実行されるとき、当該プロセッサは前述の第２の態様における端末機器に実行される各プロセスを実現できる。
【図面の簡単な説明】
【００５５】
【図１】本願の実施例で可能な適用シナリオを示す模式図である。
【図２】ＤＲＸサイクルを示す模式図である。
【図３】本願の実施例におけるＤＲＸ状態を確定するための方法を示す概略的なフローチャートである。
【図４】本願の実施例におけるＤＲＸ状態を確定するための方法を示す概略的なフローチャートである。
【図５】本願の実施例における端末機器の概略構造図である。
【図６】本願の実施例におけるネットワーク機器の概略構造図である。
【図７】本願の実施例における端末機器の概略構造図である。
【図８】本願の実施例におけるネットワーク機器の概略構造図である。
【図９】本願の実施例におけるシステムチップの概略構造図である。
【発明を実施するための形態】
【００５６】
以下、本願の実施例における添付図面を参照しながら、本願の実施例における技術的解決手段について説明する。
【００５７】
本願の実施例における技術的解決手段は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム又は将来の５Ｇシステムなど、様々な通信システムに適用されることができる。
【００５８】
図１は、本願の実施例で適用した無線通信システム１００を示す。当該無線通信システム１００はネットワーク機器１１０を含んでよい。ネットワーク機器１００は端末機器と通信する機器であってよい。ネットワーク機器１００は特定の地理的エリアに通信サービスを提供することができ、且つ、当該サービスエリア内に位置する端末機器（例えば、ＵＥ）と通信することができる。一実施形態において、当該ネットワーク機器１００はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、又はＷＣＤＭＡシステムにおける基地局（ＮｏｄｅＢ、ＮＢ）であってもよく、さらにＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は当該ネットワーク機器は、中継局、アクセスポイント、車載機器、ウェアラブル機器、将来の５Ｇネットワークにおけるネットワーク側機器もしくは将来の進化型地上波公共移動通信ネットワーク（Ｐｕｂｌｉｃ  ｌａｎｄ  ｍｏｂｉｌｅ  ｎｅｔｗｏｒｋ、略称ＰＬＭＮ）におけるネットワーク機器などであってもよい。
【００５９】
当該無線通信システム１００は、さらに、ネットワーク機器１１０のサービス範囲内に位置する少なくとも１つの端末機器１２０を含む。端末機器１２０は、移動型でも固定型でもよい。一実施形態において、端末機器１２０は、アクセス端末、ユーザ機器（Ｕｓｅｒ  Ｅｑｕｉｐｍｅｎｔ、略称ＵＥ）、ユーザユニット、ユーザ局、移動局、モバイルステーション、遠隔局、遠隔端末、移動機器、ユーザ端末、端末、無線通信機器、ユーザ代理機器又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスト（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他の処理機器、車載機器、ウェアラブル機器、将来の５Ｇネットワークにおける端末機器又は将来の進化型ＰＬＭＮにおける端末機器などであってよい。
【００６０】
５Ｇシステム又はネットワークは、新しい無線（Ｎｅｗ  Ｒａｄｉｏ、ＮＲ）システム又はネットワークとも呼ばれる。
【００６１】
本願の実施例に係るＤＲＸ状態を確定するための方法をよりよく理解するために、以下、図２を参照しながら、ＤＲＸについて簡単に説明する。図２に示すように、１つの完全なＤＲＸサイクルはＤＲＸの有効化期間とＤＲＸのスリープ期間からなり、一定のトリガ条件を満たすとき、端末機器はＤＲＸの有効化期間に入り、ＤＲＸの有効化期間に端末機器がデータスケジューリング要求を発信すると、ＤＲＸ非有効化タイマ（ＤＲＸ−Ｉｎａｃｔｉｖｉｔｙ  Ｔｉｍｅｒ）が起動され、端末機器がＤＲＸ非有効化タイマのタイミング時間内にスケジューリング情報を受信しなかった場合、ＤＲＸ非有効化タイマのタイミング時間になると端末機器はＤＲＸのスリープ期間に入り、端末機器がＤＲＸ非有効化タイマのタイミング時間内にスケジューリング情報を検出した場合、端末機器はＤＲＸ非有効化タイマを再起動して物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し続けることができる。
【００６２】
なお、ＤＲＸの有効化期間では、端末機器が第１のＤＲＸ状態であり、ＤＲＸのスリープ期間では、端末機器が第２のＤＲＸ状態にあることを理解すべきである。端末機器が第１のＤＲＸ状態であっても第２のＤＲＸ状態であっても、端末機器とネットワーク機器は両方ともＲＲＣ接続状態にある。端末機器がＤＲＸの第１のＤＲＸ状態にある（この際端末機器がＤＲＸの有効化期間にある）とき、端末機器は受信機をオンにして、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し、端末機器が第２のＤＲＸ状態にある（この際端末機器がＤＲＸのスリープ期間にある）とき、端末機器は受信機をオフにし、ＰＤＣＣＨを監視しない。
【００６３】
既存のロングタームエボリューション（Ｌｏｎｇ  Ｔｅｒｍ  Ｅｖｏｌｕｔｉｏｎ、ＬＴＥ）ＬＴＥシステムにおいて、ネットワーク機器はＲＲＣシグナリングを通じて端末機器にＤＲＸパラメータを静的に設定し、これらのＤＲＸパラメータはオンデュレーションタイマ（ｏｎ  Ｄｕｒａｔｉｏｎ  Ｔｉｍｅｒ）、ＤＲＸ非有効化タイマ（ＤＲＸ−Ｉｎａｃｔｉｖｉｔｙ  Ｔｉｍｅｒ）、ＤＲＸ再送信タイマ（ＤＲＸ−Ｒｅｔｒａｎｓｍｉｓｓｉｏｎ  Ｔｉｍｅｒ）、ロングＤＲＸサイクル開始オフセット（ｌｏｎｇ  ＤＲＸ−Ｃｙｃｌｅ  Ｓｔａｒｔ  Ｏｆｆｓｅｔ）、ショートＤＲＸサイクル（ｓｈｏｒｔ  ＤＲＸ−Ｃｙｃｌｅ）、ＤＲＸショートサイクルタイマ（ＤＲＸ−Ｓｈｏｒｔ  Ｃｙｃｌｅ  Ｔｉｍｅｒ）、及びハイブリッド自動再送要求往復時間タイマ（Ｈｙｂｒｉｄ  Ａｕｔｏ  Ｒｅｐｅａｔ  Ｒｅｑｕｅｓｔ  Ｒｏｕｎｄ  Ｔｒｉｐ  Ｔｉｍｅ  Ｔｉｍｅｒ、ＨＡＲＱ  ＲＴＴ  Ｔｉｍｅｒ）等を含む。
【００６４】
既存のＤＲＸパラメータの静的設定方法は非常に柔軟性に欠けており、端末機器に設定したＤＲＸパラメータを動的に調整することができず、さらに端末機器のＤＲＸ状態を柔軟に変更することができない。
【００６５】
例えば、端末機器がネットワーク機器にデータスケジューリング要求を発信した後、ＤＲＸ非有効化タイマが起動し、端末機器がＰＤＣＣＨの監視を開始し、ネットワーク機器が端末機器のデータスケジューリング要求を受信した後、ネットワークの負荷が高いため、ネットワーク機器は、ＤＲＸ非有効化タイマのタイミング時間内に端末機器のスケジューリングを行うことができず、ＤＲＸ非有効化タイマが起動した後、端末機器は、ＤＲＸ非有効化タイマが無効になるまで常に監視状態にある必要がある。すなわち、ＤＲＸ非有効化タイマのタイミング時間内に、ネットワーク機器は端末機器のスケジューリングを行わないが、端末機器は常に監視状態にあることにより、端末機器の消費電力が増加する。
【００６６】
このため、本願の実施例はＤＲＸ状態の確定方法を提供し、動的指示情報によって端末機器に指示して端末機器のＤＲＸ状態の切替又は端末機器がＤＲＸ状態にある時間の変更を柔軟に行う。以下、図３及び図４を参照しながら、本願の実施例におけるＤＲＸ状態の確定方法について詳細に説明する。
【００６７】
図３は、本願の実施例におけるＤＲＸ状態を確定するための方法を示す概略的なフローチャートである。図３に示される方法は、以下を含む。
【００６８】
３１０、端末機器が、ネットワーク機器から送信される、端末機器にＤＲＸ状態を切り替えるように指示するか又は端末機器がＤＲＸ状態にある時間を指示するために用いられる第１の指示情報を受信する。
【００６９】
上記第１の指示情報は、端末機器に現在のＤＲＸ状態から他のＤＲＸ状態に切り替えるように指示してもよく、端末機器が現在のＤＲＸ状態にある時間又は端末機器が次のＤＲＸ状態にある時間を指示してもよい。
【００７０】
一実施形態において、端末機器が現在第１のＤＲＸ状態にある場合、第１の指示情報は第１のＤＲＸ状態から第２のＤＲＸ状態に切り替えるように端末機器に指示することができ、こうすると、端末機器は、第１の指示情報を受信すると、第１のＤＲＸ状態から第２のＤＲＸ状態に切り替えられる。具体的には、端末機器が現在第１のＤＲＸ状態にある場合、ネットワーク機器は、ネットワークの負荷が高いか又は端末機器の優先順位が低い（例えば、当該端末機器はモバイルブロードバンドサービスの拡張を実行する機器である）場合、上記第１の指示情報を生成して、第１のＤＲＸ状態から第２のＤＲＸ状態に切り替えるように端末機器に指示する。
【００７１】
３２０、端末機器は、上記の第１の指示情報に基づいて端末機器の現在のＤＲＸ状態を切り替えるか、又は、上記第１の指示情報に基づいて端末機器がＤＲＸ状態にある時間を確定し、端末機器の現在のＤＲＸ状態が第１のＤＲＸ状態又は第２のＤＲＸ状態であり、第１のＤＲＸ状態では端末機器の受信機をオンにし（ＰＤＣＣＨを監視する）、第２のＤＲＸ状態では端末機器の受信機をオフにする（ＰＤＣＣＨを監視しない）。
【００７２】
本願の実施例において、第１の指示情報で端末機器のＤＲＸ状態又は端末機器のＤＲＸ状態の時間を動的に調整でき、さらにＤＲＸモードでデータを送信する端末機器の効率を向上させ、端末機器の消費電力を低減する。
【００７３】
なお、上記第１の指示情報は端末機器がＤＲＸ状態にある時間を指示するために用いられる場合、当該ＤＲＸ状態は、端末機器の現在のＤＲＸ状態であっても、状態を切り替えた後の端末機器のＤＲＸ状態であってよいことを理解すべきである。
【００７４】
一実施形態において、端末機器の現在のＤＲＸ状態が第１のＤＲＸ状態であり、上記第１の指示情報は端末機器が第１のＤＲＸ状態にある時間を指示するために用いられ、端末機器が当該第１の指示情報を受信すると、端末機器が当該第１のＤＲＸ状態にある時間を確定することができる。
【００７５】
第１の指示情報で端末機器に第１のＤＲＸ状態にある時間を再設定することができ、すなわち、第１の指示情報で端末機器が第１のＤＲＸ状態にある時間を動的に調整することができ、それにより端末機器がＤＲＸでデータを伝送する効率を向上させる。
【００７６】
例えば、端末機器が第１のＤＲＸ状態であり、且つ現在のネットワークの負荷が高いとき、ネットワーク機器は現在期間内に端末機器のスケジューリングを行うことができず、このとき、ネットワーク機器は、端末機器が第１のＤＲＸ状態から第２のＤＲＸ状態に素早く切り替えられるように、第１の指示情報で短い時間を第１のＤＲＸ状態に再設定することができ、それにより端末機器の不必要な監視を減らし、消費電力を低減する。
【００７７】
一実施形態において、上記第１の指示情報が、端末機器が第１のＤＲＸ状態にある時間を指示するために用いられるとき、使用可能な指示方法が複数あり、少なくとも以下の数種を含む。
【００７８】
（１）、第１の指示情報は、具体的には、前記第１のＤＲＸ状態の持続時間が第１の時間帯であることを指示するために用いられる。
【００７９】
例えば、ネットワーク機器が端末機器に予め設定したＤＲＸパラメータに基づいて、端末機器が第１のＤＲＸ状態にある持続時間は３０ｍｓであり、且つ、現在端末機器が第１のＤＲＸ状態にある時間はすでに１０ｍｓになり、第１の指示情報が第１のＤＲＸ状態の持続時間が２０ｍｓであると指示すると、端末機器は第１の指示情報に基づいて第１のＤＲＸ状態の持続時間を最初の３０ｍｓではなく、２０ｍｓと確定し、つまり、現在からさらに１０ｍｓが経過した後、端末機器は第１のＤＲＸ状態から第２のＤＲＸ状態に切り替えられる。
【００８０】
（２）、第１の指示情報は、具体的には、第１のＤＲＸ状態を第１の時刻まで持続するように指示するために用いられる。
【００８１】
例えば、現在時刻が１０ｍｓである場合、ネットワーク機器が端末機器に予め設定したＤＲＸパラメータに基づいて、端末機器が第１のＤＲＸ状態にある時間は０ｍｓから３０ｍｓまで持続し、第１の指示情報が第１のＤＲＸ状態を２０ｍｓまで持続するように指示すると、端末機器は第１の指示情報を受信した後、第１のＤＲＸ状態を２０ｍｓまで持続することを確定でき、２０ｍｓになると、端末機器は第１のＤＲＸ状態から第２のＤＲＸ状態に切り替えられる。
【００８２】
一実施形態において、端末機器の現在のＤＲＸ状態が第１のＤＲＸ状態であり、さらに上記第１の指示情報は第２のＤＲＸ状態にある時間を端末機器に指示することができ、当該第２のＤＲＸ状態は、第１のＤＲＸ状態から状態を切り替えた後の端末機器のＤＲＸ状態である場合、端末機器は、第１の指示情報に基づいて端末機器が第２のＤＲＸ状態にある時間を確定することができ、つまり、端末機器は第１の指示情報に基づいて次のＤＲＸ状態にある時間を確定することができる。
【００８３】
一実施形態において、上記第１の指示情報が、端末機器が第２のＤＲＸ状態にある時間を指示するために用いられるとき、使用可能な指示方法が複数あり、少なくとも以下の数種を含む。
【００８４】
（３）、第１の指示情報は、具体的には、前記第２のＤＲＸ状態の持続時間が第２の時間帯であることを指示するために用いられる。
【００８５】
例えば、一定期間後、端末機器は現在の第１のＤＲＸ状態から第２のＤＲＸ状態に切り替えられ、ネットワーク機器が端末機器に設定したＤＲＸパラメータに基づいて、端末機器が次の第２のＤＲＸ状態にある持続時間が３０ｍｓであるが、第１の指示情報は端末機器に次の第２のＤＲＸ状態にある持続時間が２０ｍｓであると指示し、こうすると、第１の指示情報を受信した後、端末機器が第２のＤＲＸ状態に切り替えられた後、当該状態での持続時間が２０ｍｓに変わり、それにより端末機器が第２のＤＲＸ状態にある時間を短縮する。
【００８６】
（４）、第１の指示情報は、具体的には、第２のＤＲＸ状態を第２の時刻まで持続するように指示するために用いられる。
【００８７】
例えば、第１０ｍｓになったとき、端末機器は現在の第１のＤＲＸ状態から第２のＤＲＸ状態に切り替えられ、ネットワーク機器が端末機器に設定したＤＲＸパラメータに基づいて、端末機器は第１０ｍｓから第４０ｍｓまでの間には第２のＤＲＸ状態にあるが、第１の指示情報は、第２のＤＲＸ状態に切り替えられてから当該状態を維持し且つ３０ｍｓまで持続するように端末機器に指示し、こうすると、第１の指示情報を受信した後、端末機器は第１０ｍｓから第３０ｍｓまでの間には第２のＤＲＸ状態にあり、端末機器が第２のＤＲＸ状態にある時間を短縮する。
【００８８】
なお、第１の指示情報で端末機器が第１のＤＲＸ状態にあるかまたは第２のＤＲＸ状態にある時間を短縮することができるだけでなく、端末機器が第１のＤＲＸ状態又は第２のＤＲＸ状態にある時間を延長することもできることを理解すべきである。
【００８９】
以下、実施例１と実施例２を参照しながら、本願のＤＲＸ状態の確定方法について詳細に説明する。
【００９０】
＜実施例１＞
端末機器がネットワーク機器にデータスケジューリング要求を発信した後、ＤＲＸ非有効化タイマが起動し、端末機器がＰＤＣＣＨの監視を開始し、ネットワーク機器が端末機器のデータスケジューリング要求を受信した後、ネットワークの負荷が高いため、ネットワーク機器はＤＲＸ非有効化タイマのタイミング時間内に端末機器のスケジューリングを行うことができず、したがって、消費電力を低減するために、ネットワーク機器が端末機器に指示情報を送信して、端末機器がＤＲＸの有効化状態からＤＲＸのスリープ状態に切り替えられるように指示する。
【００９１】
＜実施例２＞
ネットワーク機器がＲＲＣシグナリングを通じて端末機器に設定したＨＡＲＱ  ＲＴＴ  Ｔｉｍｅｒは８サブフレーム長である。ＨＡＲＱを迅速にフィードバックする必要がある場合、ネットワーク機器は指示情報によりＨＡＲＱ  ＲＴＴ  Ｔｉｍｅｒの持続時間を４サブフレームにするように指示することができ、それにより端末機器がＤＲＸのスリープ状態からＤＲＸの有効化状態に迅速に切り替えられてＰＤＣＣＨを監視することができ、ＨＡＲＱを迅速にフィードバックする必要がない場合、ネットワーク機器は指示情報によりＨＡＲＱ  ＲＴＴ  Ｔｉｍｅｒの持続時間を１２サブフレームにするように指示することができ、それにより端末機器がＤＲＸのスリープ状態を長時間持続してからＤＲＸの有効化状態に切り替えられる。
【００９２】
一実施形態において、上記第１の指示情報は、さらに、メディアアクセス制御ユニットＭＡＣ  ＣＥで載せられてもよい。具体的には、表１に示すように、表１は、論理チャネルフィールド識別ＩＤに対応するＭＡＣのサービスデータユニット（Ｓｅｒｖｉｃｅ  Ｄａｔａ  Ｕｎｉｔ、ＳＤＵ）の論理チャネルの実施例及び対応するＭＡＣ制御ユニット又はパディングタイプを示す。
【００９３】
上記第１の指示情報は、表１に示されたＤＲＸコマンド（ＤＲＸＣｏｍｍａｎｄ）ＭＡＣ  ＣＥ、ロングＤＲＸコマンド（Ｌｏｎｇ  ＤＲＸ  Ｃｏｍｍａｎｄ）ＭＡＣ  ＣＥ、及び論理チャネルにより指示される予約済み（Ｒｅｓｅｒｖｅｄ）ＭＡＣ  ＣＥのうち少なくとも１つである。
【００９４】
【表１】
2020509627.tif 000013
【００９５】
一実施形態において、上記第１の指示情報は、下り制御情報（Ｄｏｗｎｌｉｎｋ  Ｃｏｎｔｒｏｌ  Ｉｎｆｏｒｍａｔｉｏｎ、ＤＣＩ）で載せられる。
【００９６】
具体的には、ＤＣＩに新しいドメイン（ＤＲＸ−Ｔｒｉｇｇｅｒ）を追加することによって上記第１の指示情報を表すことができ、ＤＲＸ−Ｔｒｉｇｇｅｒは１ビットの情報であってよく、０は、端末機器が第１のＤＲＸ状態から第２のＤＲＸ状態に切り替えられるようにトリガすることを示し、１は、端末機器が現在の第１のＤＲＸ状態を維持するようにトリガすることを示す。
【００９７】
一実施形態において、上記端末機器は、専用下り制御チャネル又は共通制御チャネルを介して前記ネットワーク機器から送信される第１の指示情報を受信することができる。
【００９８】
一実施形態において、ネットワーク機器は、端末機器に複数のＤＲＸパラメータを予め設定することができ、このとき、第１の指示情報はネットワーク機器が前記端末機器に動的に設定した標的ＤＲＸパラメータを指示するために用いられ、当該標的ＤＲＸパラメータは端末機器がＤＲＸ状態にある時間を指示するために用いられる。
【００９９】
上記第１の指示情報が標的ＤＲＸパラメータを指示する指示方法は複数あり、例えば、第１の指示情報は、標的ＤＲＸパラメータの予め設定した複数のＤＲＸパラメータにおけるインデックスを具体的に指示することができ、第１の指示情報は、さらに、標的ＤＲＸパラメータのインデックスと第１のＤＲＸパラメータのインデックスとの間の差分値を具体的に指示することもでき、当該第１のＤＲＸパラメータは予め設定した複数のＤＲＸパラメータのうちのいずれか１つのＤＲＸパラメータである。一実施形態において、上記第１のＤＲＸパラメータは、ネットワーク機器がＲＲＣシグナリングを通じて端末機器に予め設定したデフォルトＤＲＸパラメータである。
【０１００】
すなわち、第１の指示情報は、直接指示する方法で標的ＤＲＸパラメータのインデックスを指示してもよく、当該標的ＤＲＸパラメータのインデックスと、あるＤＲＸパラメータのインデックスとの間の差分値を間接的に指示してもよい。
【０１０１】
なお、上記第１の指示情報は、第１の指示情報自身により端末機器にＤＲＸ状態にある時間（このとき、第１の指示情報が指示するものは時間情報である）を直接指示することができるだけでなく、上記第１の指示情報は、さらに、標的ＤＲＸパラメータを間接的に指示する方法で端末機器がＤＲＸ状態にある時間を指示することができることを理解すべきである。
【０１０２】
上記では、図３を参照しながら、端末機器から本願の実施例におけるＤＲＸ状態の確定方法について詳細に説明したが、以下では、図４を参照しながら、ネットワーク機器から本願の実施例におけるＤＲＸ状態の確定方法について説明する。なお、以下、図４を参照してネットワーク機器から説明した本願の実施例におけるＤＲＸ状態の確定方法は、図３を参照して端末機器から説明した本願の実施例におけるＤＲＸ状態の確定方法と対応し、簡潔にするために、以下では繰り返しの説明は適切に省略される。
【０１０３】
図４は、本願の実施例におけるＤＲＸ状態を確定するための方法を示す概略的なフローチャートである。図４の方法は、
ネットワーク機器が、端末機器にＤＲＸ状態を切り替えるように指示するか又は前記端末機器がＤＲＸ状態にある時間を指示するための第１の指示情報を生成するステップ４１０と、
前記ネットワーク機器が前記端末機器に前記第１の指示情報を送信するステップ４２０とを含む。
【０１０４】
本願の実施例において、第１の指示情報がネットワーク状態に基づいて端末機器のＤＲＸ状態又はＤＲＸ状態にある時間を動的に調整することにより、端末機器がＤＲＸモードでデータを伝送する効率を向上させ、端末機器の消費電力を低減する。
【０１０５】
一実施形態において、前記方法は、前記ネットワーク機器がネットワークの負荷に基づいて前記第１の指示情報を確定することを更に含む。
【０１０６】
一実施形態において、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１０７】
一実施形態において、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１０８】
一実施形態において、前記第１の指示情報は、具体的には、前記第１のＤＲＸ状態の持続時間が第１の時間帯であると指示するために用いられる。
【０１０９】
一実施形態において、前記第１の指示情報は、前記第１のＤＲＸ状態を第１の時刻まで持続するように指示するために用いられる。
【０１１０】
一実施形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１１１】
一実施形態において、前記第１の指示情報は、具体的には、前記第２のＤＲＸ状態の持続時間が第２の時間帯であると指示するために用いられる。
【０１１２】
一実施形態において、前記第１の指示情報は、具体的には、前記第２のＤＲＸ状態を第２の時刻まで持続するように指示するために用いられる。
【０１１３】
一実施形態において、前記第１の指示情報は下り制御情報ＤＣＩで載せられる。
【０１１４】
一実施形態において、前記第１の指示情報はメディアアクセス制御ユニットＭＡＣ  ＣＥで載せられる。
【０１１５】
一実施形態において、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１１６】
一実施形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１１７】
一実施形態において、前記ネットワーク機器が前記端末機器に前記第１の指示情報を送信するステップは、
前記ネットワーク機器が専用下り制御チャネル又は共通制御チャネルを介して前記端末機器に前記第１の指示情報を送信することを含む。
【０１１８】
一実施形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１１９】
一実施形態において、前記第１の指示情報は、具体的には、予め設定した複数のＤＲＸパラメータにおける前記標的ＤＲＸパラメータのインデックスを指示するために用いられる。
【０１２０】
一実施形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１２１】
上記では、図３と図４を参照しながら、本発明の実施例のＤＲＸ状態の確定方法について詳細に説明した。以下では、図５〜図８を参照しながら、本発明の実施例の端末機器及びネットワーク機器について詳細に説明する。なお、図５〜図８における端末機器とネットワーク機器は、図３と図４における端末機器とネットワーク機器により実行される各ステップを実施することができ、簡潔にするために、以下では繰り返しの説明は適切に省略される。
【０１２２】
図５は、本願の実施例における端末機器の概略構造図である。図５の端末機器５００は、
ネットワーク機器から送信される、前記端末機器にＤＲＸ状態を切り替えるように指示するか又は前記端末機器がＤＲＸ状態にある時間を指示するための第１の指示情報を受信するために用いられる通信モジュール５１０と、
前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられる処理モジュール５２０と、を含む。
【０１２３】
一実施形態において、前記端末機器の現在のＤＲＸ状態が第１のＤＲＸ状態であり、前記第１の指示情報が前記端末機器に第２のＤＲＸ状態に切り替えるように指示し、前記処理モジュール５２０は、具体的には、前記第１の指示情報に基づいて第１のＤＲＸ状態から第２のＤＲＸ状態に切り替えるために用いられる。
【０１２４】
一実施形態において、前記端末機器の現在のＤＲＸ状態が前記第１のＤＲＸ状態にあり、前記第１の指示情報は前記端末機器が前記第１のＤＲＸ状態にある時間を指示するために用いられ、前記処理モジュール５２０は、具体的には、前記第１の指示情報に基づいて前記端末機器が前記第１のＤＲＸ状態にある時間を確定するために用いられる。
【０１２５】
一実施形態において、前記第１の指示情報は、具体的には、前記第１のＤＲＸ状態の持続時間が第１の時間帯であると指示するために用いられ、前記処理モジュール５２０は、具体的には、前記第１の指示情報に基づいて前記第１のＤＲＸ状態の持続時間が第１の時間帯であることを確定するために用いられる。
【０１２６】
一実施形態において、前記第１の指示情報は前記第１のＤＲＸ状態が第１の時刻まで持続するように指示するために用いられ、前記処理モジュール５２０は、具体的には、前記第１の指示情報に基づいて前記第１のＤＲＸ状態を前記第１の時刻まで持続することを確定するために用いられる。
【０１２７】
一実施形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記処理モジュール５２０は、具体的には、前記第１の指示情報に基づいて前記端末機器が前記第２のＤＲＸ状態にある時間を確定するために用いられる。
【０１２８】
一実施形態において、前記第１の指示情報は、具体的には、前記第２のＤＲＸ状態の持続時間が第２の時間帯であると指示するために用いられ、前記処理モジュール５２０は、具体的には、前記第１の指示情報に基づいて前記第２のＤＲＸ状態の持続時間が前記第２の時間帯であることを確定するために用いられる。
【０１２９】
一実施形態において、前記第１の指示情報は、具体的には、前記第２のＤＲＸ状態を第２の時刻まで持続するように指示するために用いられ、前記処理モジュール５２０は、具体的には、前記第１の指示情報に基づいて前記第２のＤＲＸ状態を前記第２の時刻まで持続することを確定するために用いられる。
【０１３０】
一実施形態において、前記第１の指示情報は下り制御情報ＤＣＩで載せられる。
【０１３１】
一実施形態において、前記第１の指示情報はメディアアクセス制御ユニットＭＡＣ  ＣＥで載せられる。
【０１３２】
一実施形態において、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【０１３３】
一実施形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１３４】
一実施形態において、前記通信モジュール５１０は、具体的には、専用下り制御チャネル又は共通制御チャネルを介して前記ネットワーク機器から送信される前記第１の指示情報を受信するために用いられる。
【０１３５】
一実施形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１３６】
一実施形態において、前記第１の指示情報は、具体的には、予め設定した複数のＤＲＸパラメータにおける前記標的ＤＲＸパラメータのインデックスを指示するために用いられる。
【０１３７】
一実施形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１３８】
図６は、本願の実施例におけるネットワーク機器の概略構造図である。図６のネットワーク機器６００は、
端末機器にＤＲＸ状態を切り替えるように指示するか又は前記端末機器がＤＲＸ状態にある時間を指示するための第１の指示情報を生成するために用いられる処理モジュール６１０と、
前記端末機器に前記第１の指示情報を送信するために用いられる通信モジュール６２０と、を含む。
【０１３９】
一実施形態において、前記処理モジュール６１０は、さらに、ネットワークの負荷に基づいて前記第１の指示情報確定するために用いられる。
【０１４０】
一実施形態において、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１４１】
一実施形態において、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１４２】
一実施形態において、前記第１の指示情報は、具体的には、前記第１のＤＲＸ状態の持続時間が第１の時間帯であると指示するために用いられる。
【０１４３】
一実施形態において、前記第１の指示情報は、前記第１のＤＲＸ状態を第１の時刻まで持続するように指示するために用いられる。
【０１４４】
一実施形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１４５】
一実施形態において、前記第１の指示情報は、具体的には、前記第２のＤＲＸ状態の持続時間が第２の時間帯であると指示するために用いられる。
【０１４６】
一実施形態において、前記第１の指示情報は、具体的には、前記第２のＤＲＸ状態を第２の時刻まで持続するように指示するために用いられる。
【０１４７】
一実施形態において、前記第１の指示情報は下り制御情報ＤＣＩで載せられる。
【０１４８】
一実施形態において、前記第１の指示情報はメディアアクセス制御ユニットＭＡＣ  ＣＥで載せられる。
【０１４９】
一実施形態において、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１５０】
一実施形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１５１】
一実施形態において、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【０１５２】
一実施形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１５３】
一実施形態において、前記第１の指示情報は、具体的には、予め設定した複数のＤＲＸパラメータにおける前記標的ＤＲＸパラメータのインデックスを指示するために用いられる。
【０１５４】
一実施形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１５５】
図７は、本願の実施例における端末機器の概略構造図である。図７の端末機器７００は、
ネットワーク機器から送信される、前記端末機器にＤＲＸ状態を切り替えるように指示するか又は前記端末機器がＤＲＸ状態にある時間を指示するための第１の指示情報を受信するために用いられる送受信機７１０と、
前記第１の指示情報に基づいて前記端末機器の現在のＤＲＸ状態を切り替えるか、又は、前記第１の指示情報に基づいて前記端末機器のＤＲＸ状態の時間を確定し、前記端末機器の現在のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられるプロセッサ７２０と、を含む。
【０１５６】
一実施形態において、前記端末機器の現在のＤＲＸ状態が第１のＤＲＸ状態であり、前記第１の指示情報が前記端末機器に第２のＤＲＸ状態に切り替えるように指示し、前記プロセッサ７２０は、具体的には、前記第１の指示情報に基づいて第１のＤＲＸ状態から第２のＤＲＸ状態に切り替えるために用いられる。
【０１５７】
一実施形態において、前記端末機器の現在のＤＲＸ状態が前記第１のＤＲＸ状態にあり、前記第１の指示情報は前記端末機器が前記第１のＤＲＸ状態にある時間を指示するために用いられ、前記プロセッサ７２０は、具体的には、前記第１の指示情報に基づいて前記端末機器が前記第１のＤＲＸ状態にある時間を確定するために用いられる。
【０１５８】
一実施形態において、前記第１の指示情報は、具体的には、前記第１のＤＲＸ状態の持続時間が第１の時間帯であると指示するために用いられ、前記プロセッサ７２０は、具体的には、前記第１の指示情報に基づいて前記第１のＤＲＸ状態の持続時間が第１の時間帯であることを確定するために用いられる。
【０１５９】
一実施形態において、前記第１の指示情報は前記第１のＤＲＸ状態が第１の時刻まで持続するように指示するために用いられ、前記プロセッサ７２０は、具体的には、前記第１の指示情報に基づいて前記第１のＤＲＸ状態を前記第１の時刻まで持続することを確定するために用いられる。
【０１６０】
一実施形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記プロセッサ７２０は、具体的には、前記第１の指示情報に基づいて前記端末機器が前記第２のＤＲＸ状態にある時間を確定するために用いられる。
【０１６１】
一実施形態において、前記第１の指示情報は、具体的には、前記第２のＤＲＸ状態の持続時間が第２の時間帯であると指示するために用いられ、前記プロセッサ７２０は、具体的には、前記第１の指示情報に基づいて前記第２のＤＲＸ状態の持続時間が前記第２の時間帯であることを確定するために用いられる。
【０１６２】
一実施形態において、前記第１の指示情報は、具体的には、前記第２のＤＲＸ状態を第２の時刻まで持続するように指示するために用いられ、前記プロセッサ７２０は、具体的には、前記第１の指示情報に基づいて前記第２のＤＲＸ状態を前記第２の時刻まで持続することを確定するために用いられる。
【０１６３】
一実施形態において、前記第１の指示情報は下り制御情報ＤＣＩで載せられる。
【０１６４】
一実施形態において、前記第１の指示情報はメディアアクセス制御ユニットＭＡＣ  ＣＥで載せられる。
【０１６５】
一実施形態において、前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む。
【０１６６】
一実施形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１６７】
一実施形態において、前記送受信機７１０は、具体的には、専用下り制御チャネル又は共通制御チャネルを介して前記ネットワーク機器から送信される前記第１の指示情報を受信するために用いられる。
【０１６８】
一実施形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１６９】
一実施形態において、前記第１の指示情報は、具体的には、予め設定した複数のＤＲＸパラメータにおける前記標的ＤＲＸパラメータのインデックスを指示するために用いられる。
【０１７０】
一実施形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１７１】
図８は、本願の実施例におけるネットワーク機器の概略構造図である。図８のネットワーク機器８００は、
端末機器にＤＲＸ状態を切り替えるように指示するか又は前記端末機器がＤＲＸ状態にある時間を指示するための第１の指示情報を生成するために用いられるプロセッサ８１０と、
前記端末機器に前記第１の指示情報を送信するために用いられる送受信機８２０と、を含む。
【０１７２】
一実施形態において、前記プロセッサ８１０は、さらに、ネットワークの負荷に基づいて前記第１の指示情報を確定するために用いられる。
【０１７３】
一実施形態において、前記端末機器の現在のＤＲＸ状態が第１のＤＲＸ状態であり、前記第１の指示情報は前記端末機器に第２のＤＲＸ状態に切り替えるように指示するために用いられ、前記第１のＤＲＸ状態では前記端末機器の受信機をオンにし、前記第２のＤＲＸ状態では前記端末機器の受信機をオフにする。
【０１７４】
一実施形態において、前記端末機器の現在のＤＲＸ状態が第１のＤＲＸ状態であり、前記第１の指示情報は前記端末機器が第１のＤＲＸ状態にある時間を指示するために用いられ、前記第１のＤＲＸ状態では前記端末機器の受信機をオンにする。
【０１７５】
一実施形態において、前記第１の指示情報は、具体的には、前記第１のＤＲＸ状態の持続時間が第１の時間帯であると指示するために用いられる。
【０１７６】
一実施形態において、前記第１の指示情報は、前記第１のＤＲＸ状態を第１の時刻まで持続するように指示するために用いられる。
【０１７７】
一実施形態において、前記端末機器の現在のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記第１のＤＲＸ状態では前記端末機器の受信機をオンにし、前記第２のＤＲＸ状態では前記端末機器の受信機をオフにする。
【０１７８】
一実施形態において、前記第１の指示情報は、具体的には、前記第２のＤＲＸ状態の持続時間が第２の時間帯であると指示するために用いられる。
【０１７９】
一実施形態において、前記第１の指示情報は、具体的には、前記第２のＤＲＸ状態を第２の時刻まで持続するように指示するために用いられる。
【０１８０】
一実施形態において、前記第１の指示情報は下り制御情報ＤＣＩで載せられる。
【０１８１】
一実施形態において、前記第１の指示情報はメディアアクセス制御ユニットＭＡＣ  ＣＥで載せられる。
【０１８２】
一実施形態において、前記第１の指示情報は、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つで載せられる。
【０１８３】
一実施形態において、前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる。
【０１８４】
一実施形態において、前記ネットワーク機器が前記端末機器に前記第１の指示情報を送信するステップは、前記ネットワーク機器が専用下り制御チャネル又は共通制御チャネルを介して前記端末機器に前記第１の指示情報を送信することを含む。
【０１８５】
一実施形態において、前記第１の指示情報は前記端末機器に設定した標的ＤＲＸパラメータを指示するために用いられ、前記標的ＤＲＸパラメータは前記端末機器がＤＲＸ状態にある時間を指示するために用いられる。
【０１８６】
一実施形態において、前記第１の指示情報は、具体的には、予め設定した複数のＤＲＸパラメータにおける前記標的ＤＲＸパラメータのインデックスを指示するために用いられる。
【０１８７】
一実施形態において、前記第１の指示情報は、具体的には、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである。
【０１８８】
図９は、本願の実施例におけるシステムチップの１つの概略構造図である。図９のシステムチップ９００は、入力インタフェース９０１、出力インタフェース９０２、プロセッサ９０３、及びメモリ９０４を含み、前記プロセッサ９０３とメモリ９０４とはバス９０５を介して接続され、前記プロセッサ９０３は前記メモリ９０４内のコードを実行するために用いられる。
【０１８９】
一実施形態において、前記コードが実行されるとき、前記プロセッサ９０３は、方法の実施例における端末機器で実行される方法を実施する。簡潔にするために、以下では繰り返しの説明は適切に省略される。
【０１９０】
一実施形態において、前記コードが実行されるとき、前記プロセッサ９０３は、方法の実施例におけるネットワーク機器で実行される方法を実施する。簡潔にするために、以下では繰り返しの説明は適切に省略される。
【０１９１】
当業者は、本明細書に開示されている各実施例に記載の様々な例のユニットおよびアルゴリズムステップは、電子ハードウェア、またはコンピュータソフトウェアと電子ハードウェアの組み合わせにより実施され得ることを認識することができる。これらの機能をハードウェアで実行するかまたはソフトウェアで実行するかは、技術的解決手段の特定の用途及び設計上の制限条件によって異なる。当業者は、各特定の用途に対して異なる方法で記載の機能を実現することができるが、このような実現は、本願の範囲内のものと見なすべきである。
【０１９２】
当業者であれば、説明の便宜および簡潔さのため、上記のシステム、装置及びユニットの具体的な動作プロセスについては前述の方法の実施例の対応するプロセスを参照すればよいことを明確に理解することができ、ここでは詳細な説明を省略する。
【０１９３】
なお、本願に係るいくつかの実施例に開示されているシステム、装置及び方法は、その他の形態で実施されることができることを理解すべきである。例えば、上述した装置の実施例は、例示的なものに過ぎず、例えば、各ユニットの分割は、論理的な機能分割に過ぎず、実際に実施する際にその他の形態で分割することもでき、例えば、複数のユニットまたはアセンブリを組み合わせてもよく別のシステムに集積してもよく、または一部の特徴を無視するか実行しなくてもよい。また、表示されるか又は検討される相互結合、直接結合または通信接続は、一部のインタフェース、装置またはユニットを介して間接的に結合されるものまたは通信接続されるものであってもよく、電気的形態、機械的形態もしくはその他の形態であってもよい。
【０１９４】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに配置されてもよい。実際の必要性に応じて、一部のユニットまたは全てのユニットを用いて当該実施例の目的を実現することができる。
【０１９５】
また、本願の実施例において、各機能ユニットは、１つの処理ユニットに集積されても、物理的に別々の部品として存在しても、２つ以上のユニットが１つのユニットに集積されてもよい。
【０１９６】
前記機能は、ソフトウェアの機能ユニットの形態で実施されて、独立した製品として販売または使用される場合、コンピュータ可読記憶媒体に格納できる。このような理解に基づいて、本願の技術的解決手段は、本質上既存の技術に貢献がある部分或いは当該技術的解決手段の一部は、ソフトウェア製品の形態で具現化されることができ、当該コンピュータソフトウェア製品は記憶媒体に格納され、コンピュータデバイス（パソコン、サーバ、またはネットワーク機器など）に本願の各実施例に係るすべての方法または一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プロクラムコードを格納できる様々な媒体を含む。
【０１９７】
以上、本願の具体的な実現形態について説明したが、本願の保護範囲はこれらに限定されず、当業者であれば、本願に開示された技術的範囲内で容易に変更や置換することが想到でき、いずれも本願の保護範囲に含まれるべきである。したがって、本願の保護範囲は、特許請求の範囲に記載の内容に準拠するものとする。
【手続補正２】
【補正対象書類名】特許請求の範囲
【補正対象項目名】全文
【補正方法】変更
【補正の内容】
【特許請求の範囲】
【請求項１】
不連続受信ＤＲＸ状態を確定するための方法であって、
端末機器が、ネットワーク機器から送信される、前記端末機器にＤＲＸ状態を切り替えるように指示するか又は前記端末機器がＤＲＸ状態にある時間を指示するための第１の指示情報を受信するステップと、
前記端末機器が、前記第１の指示情報に基づいて前記端末機器のＤＲＸ状態を切り替えるか、又は、前記第１の指示情報に基づいて前記端末機器のＤＲＸ状態の時間を確定し、前記端末機器のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするステップと、
を含むことを特徴とする不連続受信ＤＲＸ状態を確定するための方法。
【請求項２】
前記端末機器のＤＲＸ状態が第１のＤＲＸ状態であり、前記第１の指示情報が前記端末機器に第２のＤＲＸ状態に切り替えるように指示し、前記端末機器が、前記第１の指示情報に基づいてＤＲＸ状態を切り替えることは、
前記端末機器が、前記第１の指示情報に基づいて第１のＤＲＸ状態から第２のＤＲＸ状態に切り替えられることを含む、ことを特徴とする請求項１に記載の方法。
【請求項３】
前記端末機器のＤＲＸ状態が前記第１のＤＲＸ状態にあり、前記第１の指示情報は前記端末機器が前記第１のＤＲＸ状態にある時間を指示するために用いられ、前記端末機器は前記第１の指示情報に基づいて前記端末機器のＤＲＸ状態の時間を確定することは、
前記端末機器が、前記第１の指示情報に基づいて前記端末機器が前記第１のＤＲＸ状態にある時間を確定することを含む、ことを特徴とする請求項１に記載の方法。
【請求項４】
前記第１の指示情報は、前記第１のＤＲＸ状態の持続時間が第１の時間帯であると指示するために用いられ、前記端末機器が、前記第１の指示情報に基づいて前記端末機器が前記第１のＤＲＸ状態にある時間を確定することは、
前記端末機器が、前記第１の指示情報に基づいて前記第１のＤＲＸ状態の持続時間が第１の時間帯であることを確定することを含む、ことを特徴とする請求項３に記載の方法。
【請求項５】
前記第１の指示情報は前記第１のＤＲＸ状態が第１の時刻まで持続するように指示するために用いられ、前記端末機器が、前記第１の指示情報に基づいて前記端末機器が前記第１のＤＲＸ状態にある時間を確定することは、
前記端末機器が、前記第１の指示情報に基づいて前記第１のＤＲＸ状態を前記第１の時刻まで持続することを確定することを含む、ことを特徴とする請求項３に記載の方法。
【請求項６】
前記端末機器のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記端末機器は前記第１の指示情報に基づいて前記端末機器のＤＲＸ状態の時間を確定することは、
前記端末機器が、前記第１の指示情報に基づいて前記端末機器が前記第２のＤＲＸ状態にある時間を確定することを含む、ことを特徴とする請求項１に記載の方法。
【請求項７】
前記第１の指示情報は、前記第２のＤＲＸ状態の持続時間が第２の時間帯であると指示するために用いられ、前記端末機器が、前記第１の指示情報に基づいて前記端末機器が前記第２のＤＲＸ状態にある時間を確定することは、
前記端末機器が、前記第１の指示情報に基づいて前記第２のＤＲＸ状態の持続時間が前記第２の時間帯であることを確定することを含む、ことを特徴とする請求項６に記載の方法。
【請求項８】
前記第１の指示情報は、前記第２のＤＲＸ状態を第２の時刻まで持続するように指示するために用いられ、前記端末機器が、前記第１の指示情報に基づいて前記端末機器が前記第２のＤＲＸ状態にある時間を確定することは、
前記端末機器が、前記第１の指示情報に基づいて前記第２のＤＲＸ状態を前記第２の時刻まで持続することを確定することを含む、ことを特徴とする請求項６に記載の方法。
【請求項９】
前記第１の指示情報は下り制御情報ＤＣＩで載せられることを特徴とする請求項１〜８のいずれか１項に記載の方法。
【請求項１０】
前記第１の指示情報はメディアアクセス制御ユニットＭＡＣ  ＣＥで載せられ、
前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む、ことを特徴とする請求項１〜８のいずれか１項に記載の方法。
【請求項１１】
前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項１０に記載の方法。
【請求項１２】
前記端末機器がネットワーク機器から送信される第１の指示情報を受信することは、
前記端末機器が専用下り制御チャネル又は共通制御チャネルを介して前記ネットワーク機器から送信される前記第１の指示情報を受信することを含む、ことを特徴とする請求項１〜１１のいずれか１項に記載の方法。
【請求項１３】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項１〜１２のいずれか１項に記載の方法。
【請求項１４】
前記第１の指示情報は、予め設定した複数のＤＲＸパラメータにおける前記標的ＤＲＸパラメータのインデックスを指示するために用いられ、又は
前記第１の指示情報は、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項１３に記載の方法。
【請求項１５】
端末機器であって、
ネットワーク機器から送信される、前記端末機器に不連続受信ＤＲＸ状態を切り替えるように指示するか又は前記端末機器がＤＲＸ状態にある時間を指示するための第１の指示情報を受信するために用いられる通信モジュールと、
前記第１の指示情報に基づいて前記端末機器のＤＲＸ状態を切り替えるか、又は、前記第１の指示情報に基づいて前記端末機器のＤＲＸ状態の時間を確定し、前記端末機器のＤＲＸ状態が第１のＤＲＸ状態又は第２のＤＲＸ状態にあり、前記第１のＤＲＸ状態では前記端末機器の受信機をオンにし、前記第２のＤＲＸ状態では前記端末機器の受信機をオフにするために用いられる処理モジュールと、
を含むことを特徴とする端末機器。
【請求項１６】
前記端末機器のＤＲＸ状態が第１のＤＲＸ状態であり、前記第１の指示情報が前記端末機器に第２のＤＲＸ状態に切り替えるように指示し、前記処理モジュールは、
前記第１の指示情報に基づいて第１のＤＲＸ状態から第２のＤＲＸ状態に切り替えるために用いられる、ことを特徴とする請求項１５に記載の端末機器。
【請求項１７】
前記端末機器のＤＲＸ状態が前記第１のＤＲＸ状態にあり、前記第１の指示情報は前記端末機器が前記第１のＤＲＸ状態にある時間を指示するために用いられ、前記処理モジュールは、
前記第１の指示情報に基づいて前記端末機器が前記第１のＤＲＸ状態にある時間を確定するために用いられる、ことを特徴とする請求項１５に記載の端末機器。
【請求項１８】
前記第１の指示情報は、前記第１のＤＲＸ状態の持続時間が第１の時間帯であると指示するために用いられ、前記処理モジュールは、
前記第１の指示情報に基づいて前記第１のＤＲＸ状態の持続時間が第１の時間帯であることを確定するために用いられる、ことを特徴とする請求項１７に記載の端末機器。
【請求項１９】
前記第１の指示情報は前記第１のＤＲＸ状態が第１の時刻まで持続するように指示するために用いられ、前記処理モジュールは、
前記第１の指示情報に基づいて前記第１のＤＲＸ状態を前記第１の時刻まで持続することを確定するために用いられる、ことを特徴とする請求項１７に記載の端末機器。
【請求項２０】
前記端末機器のＤＲＸ状態が前記第１のＤＲＸ状態にあり、前記第１の指示情報は前記端末機器が第２のＤＲＸ状態にある時間を指示するために用いられ、前記第２のＤＲＸ状態は前記第１のＤＲＸ状態から状態切り替えを行った後の前記端末機器のＤＲＸ状態であり、前記処理モジュールは、
前記第１の指示情報に基づいて前記端末機器が前記第２のＤＲＸ状態にある時間を確定するために用いられる、ことを特徴とする請求項１５に記載の端末機器。
【請求項２１】
前記第１の指示情報は、前記第２のＤＲＸ状態の持続時間が第２の時間帯であると指示するために用いられ、前記処理モジュールは、
前記第１の指示情報に基づいて前記第２のＤＲＸ状態の持続時間が前記第２の時間帯であることを確定するために用いられる、ことを特徴とする請求項２０に記載の端末機器。
【請求項２２】
前記第１の指示情報は、前記第２のＤＲＸ状態を第２の時刻まで持続するように指示するために用いられ、前記処理モジュールは、
前記第１の指示情報に基づいて前記第２のＤＲＸ状態を前記第２の時刻まで持続することを確定するために用いられる、ことを特徴とする請求項２０に記載の端末機器。
【請求項２３】
前記第１の指示情報は下り制御情報ＤＣＩで載せられる、ことを特徴とする請求項１５〜２２のいずれか１項に記載の端末機器。
【請求項２４】
前記第１の指示情報はメディアアクセス制御ユニットＭＡＣ  ＣＥで載せられる、ことを特徴とする請求項１５〜２２のいずれか１項に記載の端末機器。
【請求項２５】
前記ＭＡＣ  ＣＥは、ＤＲＸコマンドＭＡＣ  ＣＥ、ロングＤＲＸコマンドＭＡＣ  ＣＥ、及び予約済み論理チャネル標識サブヘッダーによって指示されるＭＡＣ  ＣＥのうち少なくとも１つを含む、ことを特徴とする請求項２４に記載の端末機器。
【請求項２６】
前記第１の指示情報が前記予約済み論理チャネル標識サブヘッダーによって指示されるＭＡＣ  ＣＥで載せられる場合、前記第１の指示情報はＤＲＸ状態の切替情報又はＤＲＸの持続時間情報の少なくとも一方を含み、前記ＤＲＸ状態の切替情報は前記端末機器にＤＲＸ状態を切り替えるように指示するために用いられ、前記ＤＲＸの持続時間情報は前記端末機器がＤＲＸ状態にある時間を指示するために用いられる、ことを特徴とする請求項２５に記載の端末機器。
【請求項２７】
前記通信モジュールは、専用下り制御チャネル又は共通制御チャネルを介して前記ネットワーク機器から送信される前記第１の指示情報を受信するために用いられる、ことを特徴とする請求項１５〜２６のいずれか１項に記載の端末機器。
【請求項２８】
前記第１の指示情報は前記端末機器に設定した標的ＤＲＸパラメータを指示するために用いられ、前記標的ＤＲＸパラメータは前記端末機器がＤＲＸ状態にある時間を指示するために用いられる、ことを特徴とする請求項１５〜２７のいずれか１項に記載の端末機器。
【請求項２９】
前記第１の指示情報は、予め設定した複数のＤＲＸパラメータにおける前記標的ＤＲＸパラメータのインデックスを指示するために用いられる、ことを特徴とする請求項２８に記載の端末機器。
【請求項３０】
前記第１の指示情報は、前記標的ＤＲＸパラメータのインデックスと第１のＤＲＸパラメータのインデックスとの間の差分値を指示するために用いられ、前記第１のＤＲＸパラメータは予め設定した複数のＤＲＸパラメータのうちのいずれか１つのＤＲＸパラメータである、ことを特徴とする請求項２８に記載の端末機器。
【国際調査報告】
2020509627.tif 000014
2020509627.tif 000015
2020509627.tif 000016
2020509627.tif 000017